(57)【特許請求の範囲】
【請求項１】
複数の作像色の色成分およびそれらの組み合わせによって可視化される色のうち、使用する色を指定するカラーモードを選択するカラーモード選択手段と、
複数枚の原稿画像を転写紙１枚に印刷する集約コピーモードを含むコピーモードを選択するコピーモード選択手段と、
カラー画像データに対して、前記カラーモード選択手段で選択された前記カラーモードおよび前記コピーモード選択手段で選択された前記コピーモードに応じた画像処理を施す画像処理手段と、
前記画像処理手段で画像処理が施された前記カラー画像データを、前記カラーモード選択手段で選択された前記カラーモードで指定される色を表現する前記作像色にかかる画像メモリの格納領域、感光体および現像ユニットを用いて転写紙に画像形成する画像形成手段と、
を備え、
前記画像処理手段は、前記コピーモード選択手段で前記集約コピーモードが選択された場合には、１枚の転写紙に転写される各原稿画像間を仕切るための仕切線を描画し、当該仕切線の色を、前記カラーモード選択手段で選択された前記カラーモードで指定される色を表現する前記作像色にかかる前記色成分のみを使用して表現可能な色とした、
ことを特徴とする画像形成装置。
【請求項２】
前記カラーモード選択手段でフルカラーモードが選択され、かつ、前記コピーモード選択手段で集約コピーモードが選択された際には、前記仕切線の色として、フルカラーコピーで使用する色成分（Ｙ、Ｍ、Ｃ、Ｋ）の組み合わせによって実現できる任意の色を指定可能としたことを特徴とする請求項１に記載のカラー画像形成装置。
【請求項３】
前記カラーモード選択手段で原稿を指定された一色でコピーするシングルカラーコピーモードが選択され、かつ、前記コピーモード選択手段で集約コピーモードが選択された際には、前記仕切線の色を、選択されたシングルカラーと同じ色としたことを特徴とする請求項１に記載のカラー画像形成装置。
【請求項４】
前記カラーモード選択手段で、原稿の黒領域と、原稿の黒以外の領域の色を夫々指定し、指定された２色でコピーする２色カラーコピーモードが選択され、かつ、前記コピーモード選択手段で集約コピーモードが選択された際には、前記仕切線の色を、前記指定された２色のうちベースとなる１色と同じ色とすることを特徴とする請求項１に記載のカラー画像形成装置。
【請求項５】
さらに、前記仕切線の描画の有無を指定する仕切線描画有無指定手段を備えたことを特徴とする請求項１〜請求項４のいずれか１つに記載のカラー画像形成装置。
【請求項６】
さらに、前記仕切線の濃度を指定する仕切線濃度指定手段を備えたことを特徴とする請求項１〜請求項５のいずれか１つに記載のカラー画像形成装置。
【請求項７】
さらに、複数の線種から前記仕切線の線種を指定する仕切線線種指定手段を備えたことを特徴とする請求項１〜請求項６のいずれか１つに記載のカラー画像形成装置。
【請求項８】
複数の作像色の色成分およびそれらの組み合わせによって可視化される色のうち、使用する色を指定するカラーモードを選択するカラーモード選択手段と、
１枚の原稿画像を転写紙１枚に複数回繰り返して印刷するイメージリピートコピーモードを含むコピーモードを選択するコピーモード選択手段と、
カラー画像データに対して、前記カラーモード選択手段で選択された前記カラーモードおよび前記コピーモード選択手段で選択された前記コピーモードに応じた画像処理を施す画像処理手段と、
前記画像処理手段で画像処理が施された前記カラー画像データを、前記カラーモード選択手段で選択された前記カラーモードで指定される色を表現する前記作像色にかかる画像メモリの格納領域、感光体および現像ユニットを用いて転写紙に画像形成する画像形成手段と、
を備え、
前記画像処理手段は、前記コピーモード選択手段で前記イメージリピートコピーモードが選択された場合には、１枚の転写紙に転写される各原稿画像間を仕切るための仕切線を描画し、当該仕切線の色を、前記カラーモード選択手段で選択された前記カラーモードで指定される色を表現する前記作像色にかかる前記色成分のみを使用して表現可能な色とした、
ことを特徴とするカラー画像形成装置。
【請求項９】
前記カラーモード選択手段でフルカラーモードが選択され、かつ、前記コピーモード選択手段で前記イメージリピートコピーモードが選択された際には、前記仕切線の色として、フルカラーコピーで使用する色成分（Ｙ、Ｍ、Ｃ、Ｋ）の組み合わせによって実現できる任意の色を指定可能としたことを特徴とする請求項８に記載のカラー画像形成装置。
【請求項１０】
前記カラーモード選択手段で原稿を指定された一色でコピーするシングルカラーコピーモードが選択され、かつ、前記コピーモード選択手段で前記イメージリピートコピーモードが選択された際には、前記仕切線の色を、指定されたシングルカラーと同じ色とすることを特徴とする請求項８に記載のカラー画像形成装置。
【請求項１１】
前記カラーモード選択手段で、原稿の黒領域と、原稿の黒以外の領域の色を夫々指定し、指定された２色でコピーする２色カラーコピーモードが選択され、かつ、前記コピーモード選択手段でイメージリピートコピーモードが選択された際には、前記仕切線の色を、前記指定された２色のうちベースとなる１色と同じ色とすることを特徴とする請求項８に記載のカラー画像形成装置。
【請求項１２】
さらに、前記仕切線の描画の有無を指定する仕切線描画有無指定手段を備えたことを特徴とする請求項８〜請求項１１のいずれか１つに記載のカラー画像形成装置。
【請求項１３】
さらに、前記仕切線の濃度を指定する仕切線濃度指定手段を備えたことを特徴とする請求項８〜請求項１２のいずれか１つに記載のカラー画像形成装置。
【請求項１４】
さらに、複数の線種から前記仕切線の線種を指定する仕切線線種指定手段を備えたことを特徴とする請求項８〜請求項１３のいずれか１つに記載のカラー画像形成装置。
【請求項１５】
複数の作像色の色成分およびそれらの組み合わせによって可視化される色のうち、使用する色を指定するカラーモードを選択するカラーモード選択工程と、
複数枚の原稿画像を転写紙１枚に印刷する集約コピーモードを含むコピーモードを選択するコピーモード選択工程と、
カラー画像データに対して、前記選択されたカラーモードおよびコピーモードに応じた画像処理を施す画像処理工程と、
前記画像処理が施されたカラー画像データを、前記カラーモード選択工程で選択された前記カラーモードで指定される色を表現する前記作像色にかかる画像メモリの格納領域、感光体および現像ユニットを用いて転写紙に画像形成する画像形成工程と、
を含み、
前記画像処理工程は、前記コピーモード選択工程で前記集約コピーモードが選択された場合には、１枚の転写紙に転写される各原稿画像間を仕切るための仕切線を描画し、当該仕切線の色を、前記カラーモード選択工程で選択された前記カラーモードで指定される色を表現する前記作像色にかかる前記色成分のみを使用して表現可能な色とした、
ことを特徴とするカラー画像形成方法。
【請求項１６】
前記カラーモード選択工程でフルカラーモードが選択され、かつ、前記コピーモード選択工程で前記集約コピーモードが選択された際には、前記仕切線の色として、フルカラーコピーで使用する色成分（Ｙ、Ｍ、Ｃ、Ｋ）の組み合わせによって実現できる任意の色に指定可能としたことを特徴とする請求項１５に記載のカラー画像形成方法。
【請求項１７】
前記カラーモード選択工程で原稿を指定された一色でコピーするシングルカラーコピーモードが選択され、かつ、前記コピーモード選択工程で前記集約コピーモードが選択された際には、前記仕切線の色を、選択されたシングルカラーと同じ色としたことを特徴とする請求項１５に記載のカラー画像形成方法。
【請求項１８】
前記カラーモード選択工程で、原稿の黒領域と、原稿の黒以外の領域の色を夫々指定し、指定された２色でコピーする２色カラーコピーモードが選択され、かつ、コピーモード選択工程で集約コピーモードが選択された際には、前記仕切線の色を、前記指定された２色のうちベースとなる１色と同じ色とすることを特徴とする請求項１５に記載のカラー画像形成方法。
【請求項１９】
さらに、前記仕切線の描画の有無を指定する仕切線描画有無指定工程を含むことを特徴とする請求項１５〜請求項１８のいずれか１つに記載のカラー画像形成方法。
【請求項２０】
さらに、前記仕切線の濃度を指定する仕切線濃度指定工程を含むことを特徴とする請求項１５〜請求項１９のいずれか１つに記載のカラー画像形成方法。
【請求項２１】
さらに、複数の線種から前記仕切線の線種を指定する仕切線線種指定工程を含むことを特徴とする請求項１５〜請求項２０のいずれか１つに記載のカラー画像形成方法。
【請求項２２】
複数の作像色の色成分およびそれらの組み合わせによって可視化される色のうち、使用する色を指定するカラーモードを選択するカラーモード選択工程と、
１枚の原稿画像を転写紙１枚に複数回繰り返して印刷するイメージリピートコピーモードを含むコピーモードを選択するコピーモード選択工程と、
カラー画像データに対して、前記カラーモード選択工程で選択された前記カラーモードおよび前記コピーモード選択工程で選択された前記コピーモードに応じた画像処理を施す画像処理工程と、
前記画像処理が施されたカラー画像データを、前記カラーモード選択工程で選択された前記カラーモードで指定される色を表現する前記作像色にかかる画像メモリの格納領域、感光体および現像ユニットを用いて転写紙に画像形成する画像形成工程と、
を含み、
前記画像処理工程は、前記コピーモード選択工程で前記イメージリピートコピーモードが選択された場合には、１枚の転写紙に転写される各原稿画像間を仕切るための仕切線を描画し、当該仕切線の色を、前記カラーモード選択工程で選択された前記カラーモードで指定される色を表現する前記作像色にかかる前記色成分のみを使用して表現可能な色とした、
ことを特徴とするカラー画像形成方法。
【請求項２３】
前記カラーモード選択工程でフルカラーモードが選択され、かつ、前記コピーモード選択工程で前記イメージリピートコピーモードが選択された際には、前記仕切線の色として、フルカラーコピーで使用する色成分（Ｙ、Ｍ、Ｃ、Ｋ）の組み合わせによって実現できる任意の色を指定可能としたことを特徴とする請求項２２に記載のカラー画像形成方法。
【請求項２４】
前記カラーモード選択工程で原稿を指定された一色でコピーするシングルカラーコピーモードが選択され、かつ、前記コピーモード選択工程で前記イメージリピートコピーモードが選択された際には、前記仕切線の色を、指定されたシングルカラーと同じ色とすることを特徴とする請求項２２に記載のカラー画像形成方法。
【請求項２５】
前記カラーモード選択工程で、原稿の黒領域と、原稿の黒以外の領域の色を夫々指定し、指定された２色でコピーする２色カラーコピーモードが選択され、かつ、前記コピーモード選択工程でイメージリピートコピーモードが選択された際には、前記仕切線の色を、前記指定された２色のうちベースとなる１色と同じ色とすることを特徴とする請求項２２に記載のカラー画像形成方法。
【請求項２６】
さらに、前記仕切線の描画の有無を指定する仕切線描画有無指定工程を含むことを特徴とする請求項２２〜請求項２５のいずれか１つに記載のカラー画像形成方法。
【請求項２７】
さらに、前記仕切線の濃度を指定する仕切線濃度指定工程を含むことを特徴とする請求項２２〜請求項２６のいずれか１つに記載のカラー画像形成方法。
【請求項２８】
さらに、複数の線種から前記仕切線の線種を指定する仕切線線種指定工程を含むことを特徴とする請求項２２〜請求項２７のいずれか１つに記載のカラー画像形成方法。
【請求項２９】
複数の作像色の色成分およびそれらの組み合わせによって可視化される色のうち、使用する色を指定するカラーモードを選択するカラーモード選択工程と、
複数枚の原稿画像を転写紙１枚に印刷する集約コピーモードを含むコピーモードを選択するコピーモード選択工程と、
カラー画像データに対して、前記選択されたカラーモードおよびコピーモードに応じた画像処理を施す画像処理工程と、
前記画像処理が施されたカラー画像データを、前記カラーモード選択工程で選択された前記カラーモードで指定される色を表現する前記作像色にかかる画像メモリの格納領域、感光体および現像ユニットを用いて転写紙に画像形成する画像形成工程と、
を含み、
前記画像処理工程は、前記コピーモード選択工程で前記集約コピーモードが選択された場合には、１枚の転写紙に転写される各原稿画像間を仕切るための仕切線を描画し、当該仕切線の色を、前記カラーモード選択工程で選択された前記カラーモードで指定される色を表現する前記作像色にかかる前記色成分のみを使用して表現可能な色としたカラー画像形成方法をコンピュータに実行させるためのプログラムを格納した、
ことを特徴とするコンピュータが読み取り可能な記録媒体。
【請求項３０】
複数の作像色の色成分およびそれらの組み合わせによって可視化される色のうち、使用する色を指定するカラーモードを選択するカラーモード選択工程と、
１枚の原稿画像を転写紙１枚に複数回繰り返して印刷するイメージリピートコピーモードを含むコピーモードを選択するコピーモード選択工程と、
カラー画像データに対して、前記カラーモード選択工程で選択された前記カラーモードおよび前記コピーモード選択工程で選択された前記コピーモードに応じた画像処理を施す画像処理工程と、
前記画像処理が施されたカラー画像データを、前記カラーモード選択工程で選択された前記カラーモードで指定される色を表現する前記作像色にかかる画像メモリの格納領域、感光体および現像ユニットを用いて転写紙に画像形成する画像形成工程と、
を含み、
前記画像処理工程は、前記コピーモード選択工程で前記イメージリピートコピーモードが選択された場合には、１枚の転写紙に転写される各原稿画像間を仕切るための仕切線を描画し、当該仕切線の色を、前記カラーモード選択工程で選択された前記カラーモードで指定される色を表現する前記作像色にかかる前記色成分のみを使用して表現可能な色としたカラー画像形成方法をコンピュータに実行させるためのプログラムを格納した、
ことを特徴とするコンピュータが読み取り可能な記録媒体。
【発明の詳細な説明】
【０００１】
【発明の属する技術分野】
本発明は、カラー画像形成装置、カラー画像形成方法、およびその方法を実行するためのプログラムを格納したことを特徴とするコンピュータが読み取り可能な記録媒体に関し、詳細には、集約コピーやイメージリピートコピーで、画像間の仕切線を描画可能なカラー画像形成装置、カラー画像形成方法、およびその方法を実行するためのプログラムを格納したことを特徴とするコンピュータが読み取り可能な記録媒体に関する。
【０００２】
【従来の技術】
電子複写機などの画像形成装置では、原稿が露光ランプで照射され、この露光走査された反射光が導かれて原稿に対応する潜像が感光体ドラム上に形成され、この潜像に現像器でトナーを付与することにより顕像化し、この顕像化されたトナー像を転写装置を用いて用紙上に転写し、この後、定着装置を用いて用紙上のトナー像を定着されるようになっている。
【０００３】
このような画像形成装置において、指定された原稿の一部領域を同一用紙上に複数回繰り返して画像を形成する機能（イメージリピートコピー）を有するものが知られている。例えば、特開平７−２６１５９９号公報では、供給される被画像形成媒体に画像を形成する画像形成装置において、原稿を読み取る読み取り手段と、この読み取り手段で読み取った原稿の領域を指定する領域指定手段と、この領域指定手段で指定された原稿領域の繰り返し画像の形成する繰り返し回数を設定する回数設定手段と、この回数設定手段で設定された繰り返し回数に基づいて、上記供給される被画像形成媒体のサイズに対応する繰り返し画像を形成する画像形成手段と、を備えた画像形成装置が開示されている。
【０００４】
また、画像形成装置においては、複数枚の原稿を縮小して同一用紙上に画像を形成する機能（集約コピー）を有するものも知られている。上述したリピートコピー機能や集約コピー機能は、従来、モノクロデジタル複写機で実現されていたが、近時、フルカラーデジタル複写機も高機能化が進んでおり、リピートコピー機能や集約コピー機能を備えたものも開発されている。
【０００５】
各種カラーモードで、イメージリピートコピーや集約コピーをする場合に、画像を見やすくするための仕切線を形成する画像形成装置も知られているが、カラー画像では、白黒画像に比して扱うデータ量が多く、画像形成が複雑であるので、仕切線をカラーで描画する場合には、生産性を低下させるおそれがあるという問題がある。
【０００６】
【発明が解決しようとする課題】
本発明は、上記に鑑みてなされたものであり、各種カラーモードにおいて集約コピーやイメージリピートコピーをする場合にも、生産性を低下させず、かつユーザーの使い勝手が良いカラー画像形成装置、カラー画像形成方法、およびその方法を実行するためのプログラムを格納したコンピュータが読み取り可能な記録媒体を提供することを目的とする。
【０００７】
【課題を解決するための手段】
上記課題を解決するために、請求項１にかかる発明は、複数の作像色の色成分およびそれらの組み合わせによって可視化される色のうち、使用する色を指定するカラーモードを選択するカラーモード選択手段と、複数枚の原稿画像を転写紙１枚に印刷する集約コピーモードを含むコピーモードを選択するコピーモード選択手段と、カラー画像データに対して、前記カラーモード選択手段で選択された前記カラーモードおよび前記コピーモード選択手段で選択された前記コピーモードに応じた画像処理を施す画像処理手段と、前記画像処理手段で画像処理が施された前記カラー画像データを、前記カラーモード選択手段で選択された前記カラーモードで指定される色を表現する前記作像色にかかる画像メモリの格納領域、感光体および現像ユニットを用いて転写紙に画像形成する画像形成手段と、を備え、前記画像処理手段は、前記コピーモード選択手段で前記集約コピーモードが選択された場合には、１枚の転写紙に転写される各原稿画像間を仕切るための仕切線を描画し、当該仕切線の色を、前記カラーモード選択手段で選択された前記カラーモードで指定される色を表現する前記作像色にかかる前記色成分のみを使用して表現可能な色とするものである。
【０００８】
上記発明によれば、コピーモード選択手段で複数枚の原稿画像を転写紙１枚に印刷する集約コピーモードが選択された場合には、１枚の転写紙に転写される各原稿画像間を仕切るための仕切線を描画し、当該仕切線の色を、カラーモード選択手段で選択されたカラーモードで指定される色を表現する作像色にかかる色成分のみを使用して表現可能な色とし、仕切線を含むカラー画像データを、カラーモード選択手段で選択されたカラーモードで指定される色を表現する作像色にかかる画像メモリの格納領域、感光体および現像ユニットを用いて転写紙に画像形成することにより、仕切線を除くカラー画像データの画像形成に使用されない作像色にかかる画像メモリの格納領域、感光体および現像ユニットを、仕切線を描画するだけのために使用することを回避する。
【０００９】
また、請求項２にかかる発明は、請求項１にかかる発明において、前記カラーモード選択手段でフルカラーモードが選択され、かつ、前記コピーモード選択手段で集約コピーモードが選択された際には、前記仕切線の色を、フルカラーコピーで使用する色成分（Ｙ、Ｍ、Ｃ、Ｋ）の組み合わせによって実現できる任意の色に指定可能としたものである。
【００１０】
上記発明によれば、カラーモード選択手段でフルカラーモードが選択され、かつ、コピーモード選択手段で集約コピーモードが選択された際には、仕切線の色を、フルカラーコピーで使用する色成分（Ｙ、Ｍ、Ｃ、Ｋ）の組み合わせによって実現できる任意の色に指定可能とすることにより、フルカラーモードで使用する作像色（Ｙ、Ｍ、Ｃ、Ｋ）の組み合わせで実現できる任意の色で、画像間の仕切線を形成する。
【００１１】
また、請求項３にかかる発明は、請求項１にかかる発明において、前記カラーモード選択手段で原稿を指定された一色でコピーするシングルカラーコピーモードが選択され、かつ、前記コピーモード選択手段で集約コピーモードが選択された際には、前記仕切線の色を、選択されたシングルカラーと同じ色としたものである。
【００１２】
上記発明によれば、カラーモード選択手段で原稿を指定された一色でコピーするシングルカラーコピーモードが選択され、かつ、コピーモード選択手段で集約コピーモードが選択された際には、仕切線の色を、選択されたシングルカラーと同じ色とすることにより、シングルカラーモードにおいて、不要な作像色の作像動作を行う必要を防止する。
【００１３】
また、請求項４にかかる発明は、請求項１にかかる発明において、前記カラーモード選択手段で、原稿の黒領域と、原稿の黒以外の領域の色を夫々指定し、指定された２色でコピーする２色カラーコピーモードが選択され、かつ、コピーモード選択手段で集約コピーモードが選択された際には、前記仕切線の色を、前記指定された２色のうちベースとなる１色と同じ色とするものである。
【００１４】
上記発明によれば、カラーモード選択手段で、原稿の黒領域と、原稿の黒以外の領域の色を夫々指定し、指定された２色でコピーする２色カラーコピーモードが選択され、かつ、コピーモード選択手段で集約コピーモードが選択された際には、仕切線の色を、指定された２色のうちベースとなる１色と同じ色とすることにより、２色カラーコピーモードにおいて、不要な作像色の作像動作を防止する。
【００１５】
また、請求項５にかかる発明は、請求項１〜請求項４のいずれか１つにかかる発明において、さらに、前記仕切線の描画の有無を指定する仕切線描画有無指定手段を備えたものである。上記発明によれば、仕切線描画有無指定手段は、仕切線の描画の有無を指定することにより、集約コピーモードで仕切線を入れるか否かの指定を可能とする。
【００１６】
また、請求項６にかかる発明は、請求項１〜請求項５のいずれか１つにかかる発明において、さらに、前記仕切線の濃度を指定する仕切線濃度指定手段を備えたものである。上記発明によれば、仕切線濃度指定手段は、仕切線の濃度を指定することにより、集約コピーモードで仕切線の濃度の指定を可能とする。
【００１７】
また、請求項７にかかる発明は、請求項１〜請求項６のいずれか１つにかかる発明において、さらに、複数の線種から前記仕切線の線種を指定する仕切線線種指定手段を備えたものである。上記発明によれば、仕切線線種指定手段は、複数の線種の中から仕切線の線種を指定することにより、集約コピーモードで仕切線の種類を指定可能とする。
【００１８】
また、請求項８にかかる発明は、複数の作像色の色成分およびそれらの組み合わせによって可視化される色のうち、使用する色を指定するカラーモードを選択するカラーモード選択手段と、１枚の原稿画像を転写紙１枚に複数回繰り返して印刷するイメージリピートコピーモードを含むコピーモードを選択するコピーモード選択手段と、カラー画像データに対して、前記カラーモード選択手段で選択された前記カラーモードおよび前記コピーモード選択手段で選択された前記コピーモードに応じた画像処理を施す画像処理手段と、前記画像処理手段で画像処理が施された前記カラー画像データを、前記カラーモード選択手段で選択された前記カラーモードで指定される色を表現する前記作像色にかかる画像メモリの格納領域、感光体および現像ユニットを用いて転写紙に画像形成する画像形成手段と、を備え、前記画像処理手段は、前記コピーモード選択手段で前記イメージリピートコピーモードが選択された場合には、１枚の転写紙に転写される各原稿画像間を仕切るための仕切線を描画し、当該仕切線の色を、前記カラーモード選択手段で選択された前記カラーモードで指定される色を表現する前記作像色にかかる前記色成分のみを使用して表現可能な色とするものである。
【００１９】
上記発明によれば、コピーモード選択手段で１枚の原稿画像を転写紙１枚に複数回繰り返して印刷するイメージリピートコピーモードが選択された場合には、１枚の転写紙に転写される各原稿画像間を仕切るための仕切線を描画し、当該仕切線の色を、カラーモード選択手段で選択されたカラーモードで指定される色を表現する作像色にかかる色成分のみを使用して表現可能な色とし、仕切線を含むカラー画像データを、カラーモード選択手段で選択されたカラーモードで指定される色を表現する作像色にかかる画像メモリの格納領域、感光体および現像ユニットを用いて転写紙に画像形成することにより、仕切線を除くカラー画像データの画像形成に使用されない作像色にかかる画像メモリの格納領域、感光体および現像ユニットを、仕切線を描画するだけのために使用することを回避する。
【００２０】
また、請求項９にかかる発明は、請求項８にかかる発明において、前記カラーモード選択手段でフルカラーモードが選択され、かつ、前記コピーモード選択手段で前記イメージリピートコピーモードが選択された際には、前記仕切線の色を、フルカラーコピーで使用する色成分（Ｙ、Ｍ、Ｃ、Ｋ）の組み合わせによって実現できる任意の色に指定可能としたものである。
【００２１】
上記発明によれば、カラーモード選択手段でフルカラーモードが選択され、かつ、コピーモード選択手段でイメージリピートコピーモードが選択された際には、仕切線の色を、フルカラーコピーで使用する色成分（Ｙ、Ｍ、Ｃ、Ｋ）の組み合わせによって実現できる任意の色に指定可能とすることにより、フルカラーモードで使用する作像色（Ｙ、Ｍ、Ｃ、Ｋ）の組み合わせで実現できる任意の色で、画像間の仕切線を形成する。
【００２２】
また、請求項１０にかかる発明は、請求項８にかかる発明において、前記カラーモード選択手段で原稿を指定された一色でコピーするシングルカラーコピーモードが選択され、かつ、前記コピーモード選択手段で前記イメージリピートコピーモードが選択された際には、前記仕切線の色を、指定されたシングルカラーと同じ色とするものである。
【００２３】
上記発明によれば、カラーモード選択手段で原稿を指定された一色でコピーするシングルカラーコピーモードが選択され、かつ、コピーモード選択手段でイメージリピートコピーモードが選択された際には、仕切線の色を、指定されたシングルカラーと同じ色とすることにより、シングルカラーモードにおいて、不要な作像色の作像動作を行う必要を防止する。
【００２４】
また、請求項１１にかかる発明は、請求項８にかかる発明において、前記カラーモード選択手段で、原稿の黒領域と、原稿の黒以外の領域の色を夫々指定し、指定された２色でコピーする２色カラーコピーモードが選択され、かつ、コピーモード選択手段でイメージリピートコピーモードが選択された際には、前記仕切線の色を、前記指定された２色のうちベースとなる１色と同じ色とするものである。
【００２５】
上記発明によれば、カラーモード選択手段で、原稿の黒領域と、原稿の黒以外の領域の色を夫々指定し、指定された２色でコピーする２色カラーコピーモードが選択され、かつ、コピーモード選択手段でイメージリピートコピーモードが選択された際には、仕切線の色を、指定された２色のうちベースとなる１色と同じ色とすることにより、２色カラーコピーモードにおいて、不要な作像色の作像動作を防止する。
【００２６】
また、請求項１２にかかる発明は、請求項８〜請求項１１のいずれか１つにかかる発明において、仕切線の描画の有無を指定する仕切線描画有無指定手段を備えたものである。上記発明によれば、仕切線描画有無指定手段は、仕切線の描画の有無を指定することにより、イメージリピートコピーモードで仕切線を入れるか否かの指定を可能とする。
【００２７】
また、請求項１３にかかる発明は、請求項８〜請求項１２のいずれか１つにかかる発明において、前記仕切線の濃度を指定する仕切線濃度指定手段を備えたものである。上記発明によれば、仕切線濃度指定手段は、仕切線の濃度を指定することにより、イメージリピートモードで仕切線の濃度の指定を可能とする。
【００２８】
また、請求項１４にかかる発明は、請求項８〜請求項１３のいずれか１つにかかる発明において、複数の線種から前記仕切線の線種を指定する仕切線線種指定手段を備えたものである。仕切線線種指定手段は複数の線種から仕切線の線種を指定することにより、イメージリピートコピーモードで仕切線の種類を指定可能とする。
【００２９】
また、請求項１５にかかる発明は、複数の作像色の色成分およびそれらの組み合わせによって可視化される色のうち、使用する色を指定するカラーモードを選択するカラーモード選択工程と、複数枚の原稿画像を転写紙１枚に印刷する集約コピーモードを含むコピーモードを選択するコピーモード選択工程と、カラー画像データに対して、前記選択されたカラーモードおよびコピーモードに応じた画像処理を施す画像処理工程と、前記画像処理が施されたカラー画像データを、前記カラーモード選択工程で選択された前記カラーモードで指定される色を表現する前記作像色にかかる画像メモリの格納領域、感光体および現像ユニットを用いて転写紙に画像形成する画像形成工程と、を含み、前記画像処理工程は、前記コピーモード選択工程で前記集約コピーモードが選択された場合には、１枚の転写紙に転写される各原稿画像間を仕切るための仕切線を描画し、当該仕切線の色を、前記カラーモード選択工程で選択された前記カラーモードで指定される色を表現する前記作像色にかかる前記色成分のみを使用して表現可能な色としたものである。
【００３０】
上記発明によれば、コピーモード選択工程で複数枚の原稿画像を転写紙１枚に印刷する集約コピーモードが選択された場合には、１枚の転写紙に転写される各原稿画像間を仕切るための仕切線を描画し、当該仕切線の色を、カラーモード選択工程で選択されたカラーモードで指定される色を表現する作像色にかかる色成分のみを使用して表現可能な色とし、仕切線を含むカラー画像データを、カラーモード選択工程で選択されたカラーモードで指定される色を表現する作像色にかかる画像メモリの格納領域、感光体および現像ユニットを用いて転写紙に画像形成することにより、仕切線を除くカラー画像データの画像形成に使用されない作像色にかかる画像メモリの格納領域、感光体および現像ユニットを、仕切線を描画するだけのために使用することを回避する。
【００３１】
また、請求項１６にかかる発明は、請求項１５にかかる発明において、前記カラーモード選択工程でフルカラーモードが選択され、かつ、前記コピーモード選択工程で集約コピーモードが選択された際には、前記仕切線の色を、フルカラーコピーで使用する色成分（Ｙ、Ｍ、Ｃ、Ｋ）の組み合わせによって実現できる任意の色に指定可能としたものである。
【００３２】
上記発明によれば、フルカラーモードおよび集約コピーモードが選択された際には、仕切線の色を、フルカラーコピーで使用する色成分（Ｙ、Ｍ、Ｃ、Ｋ）の組み合わせによって実現できる任意の色に指定可能とすることにより、フルカラーモードで使用する作像色（Ｙ、Ｍ、Ｃ、Ｋ）の組み合わせで実現できる任意の色で、画像間の仕切線を形成する。
【００３３】
また、請求項１７にかかる発明は、請求項１５にかかる発明において、前記カラーモード選択工程で原稿を指定された一色でコピーするシングルカラーコピーモードが選択され、かつ、前記コピーモード選択工程で集約コピーモードが選択された際には、前記仕切線の色を、選択されたシングルカラーと同じ色としたものである。
【００３４】
上記発明によれば、原稿を指定された一色でコピーするシングルカラーコピーモードおよび集約コピーモードが選択された際には、仕切線の色を、選択されたシングルカラーと同じ色とすることにより、シングルカラーモードにおいて、不要な作像色の作像動作を行う必要を防止する。
【００３５】
また、請求項１８にかかる発明は、請求項１５にかかる発明において、前記カラーモード選択工程で、原稿の黒領域と、原稿の黒以外の領域の色を夫々指定し、指定された２色でコピーする２色カラーコピーモードが選択され、かつ、コピーモード選択工程で集約コピーモードが選択された際には、前記仕切線の色を、前記指定された２色のうちベースとなる１色と同じ色とするものである。
【００３６】
上記発明によれば、原稿の黒領域と、原稿の黒以外の領域の色を夫々指定し、指定された２色でコピーする２色カラーコピーモードが選択され、かつ、コピーモード選択工程で集約コピーモードが選択された際には、仕切線の色を、指定された２色のうちベースとなる１色と同じ色とすることにより、２色カラーコピーモードにおいて、不要な作像色の作像動作を防止する。
【００３７】
また、請求項１９にかかる発明は、請求項１５〜請求項１８のいずれか１つにかかる発明において、前記仕切線の描画の有無を指定する仕切線描画有無指定工程を含むものである。上記発明によれば、仕切線の描画の有無を指定することにより、集約コピーモードで仕切線を入れるか否かの指定を可能とする。
【００３８】
また、請求項２０にかかる発明は、請求項１５〜請求項１９のいずれか１つにかかる発明において、前記仕切線の濃度を指定する仕切線濃度指定工程を含むものである。上記発明によれば、仕切線の濃度を指定とすることにより、集約コピーモードで仕切線の濃度の指定を可能とする。
【００３９】
また、請求項２１にかかる発明は、請求項１５〜請求項２０のいずれか１つにかかる発明において、複数の線種から前記仕切線の線種を指定する仕切線線種指定工程を含むものである。上記発明によれば、複数の線種から仕切線の線種を指定することにより、集約コピーモードで仕切線の種類を指定可能とする。
【００４０】
また、請求項２２にかかる発明は、複数の作像色の色成分およびそれらの組み合わせによって可視化される色のうち、使用する色を指定するカラーモードを選択するカラーモード選択工程と、１枚の原稿画像を転写紙１枚に複数回繰り返して印刷するイメージリピートコピーモードを含むコピーモードを選択するコピーモード選択工程と、カラー画像データに対して、前記カラーモード選択工程で選択された前記カラーモードおよび前記コピーモード選択工程で選択された前記コピーモードに応じた画像処理を施す画像処理工程と、前記画像処理が施されたカラー画像データを、前記カラーモード選択工程で選択された前記カラーモードで指定される色を表現する前記作像色にかかる画像メモリの格納領域、感光体および現像ユニットを用いて転写紙に画像形成する画像形成工程と、を含み、前記画像処理工程は、前記コピーモード選択工程で前記イメージリピートコピーモードが選択された場合には、１枚の転写紙に転写される各原稿画像間を仕切るための仕切線を描画し、当該仕切線の色を、前記カラーモード選択工程で選択された前記カラーモードで指定される色を表現する前記作像色にかかる前記色成分のみを使用して表現可能な色としたものである。
【００４１】
上記発明によれば、コピーモード選択工程で１枚の原稿画像を転写紙１枚に複数回繰り返して印刷するイメージリピートコピーモードが選択された場合には、１枚の転写紙に転写される各原稿画像間を仕切るための仕切線を描画し、当該仕切線の色を、カラーモード選択工程で選択されたカラーモードで指定される色を表現する作像色にかかる色成分のみを使用して表現可能な色とし、仕切線を含むカラー画像データを、カラーモード選択工程で選択されたカラーモードで指定される色を表現する作像色にかかる画像メモリの格納領域、感光体および現像ユニットを用いて転写紙に画像形成することにより、仕切線を除くカラー画像データの画像形成に使用されない作像色にかかる画像メモリの格納領域、感光体および現像ユニットを、仕切線を描画するだけのために使用することを回避する。
【００４２】
また、請求項２３にかかる発明は、請求項２２にかかる発明において、前記カラーモード選択工程でフルカラーモードが選択され、かつ、前記コピーモード選択工程で前記イメージリピートコピーモードが選択された際には、前記仕切線の色を、フルカラーコピーで使用する色成分（Ｙ、Ｍ、Ｃ、Ｋ）の組み合わせによって実現できる任意の色に指定可能としたものである。
【００４３】
上記発明によれば、フルカラーモードおよびイメージリピートコピーモードが選択された際には、仕切線の色を、フルカラーコピーで使用する色成分（Ｙ、Ｍ、Ｃ、Ｋ）の組み合わせによって実現できる任意の色に指定可能とすることにより、フルカラーモードで使用する作像色（Ｙ、Ｍ、Ｃ、Ｋ）の組み合わせで実現できる任意の色で、画像間の仕切線を形成する。
【００４４】
また、請求項２４にかかる発明は、請求項２２にかかる発明において、前記カラーモード選択工程で原稿を指定された一色でコピーするシングルカラーコピーモードが選択され、かつ、前記コピーモード選択工程で前記イメージリピートコピーモードが選択された際には、前記仕切線の色を、指定されたシングルカラーと同じ色とするものである。
【００４５】
上記発明によれば、原稿を指定された一色でコピーするシングルカラーコピーモードおよびイメージリピートコピーモードが選択された際には、仕切線の色を、指定されたシングルカラーと同じ色とすることにより、シングルカラーモードにおいて、不要な作像色の作像動作を行う必要を防止する。
【００４６】
また、請求項２５にかかる発明は、請求項２２にかかる発明において、前記カラーモード選択工程で、原稿の黒領域と、原稿の黒以外の領域の色を夫々指定し、指定された２色でコピーする２色カラーコピーモードが選択され、かつ、コピーモード選択工程でイメージリピートコピーモードが選択された際には、前記仕切線の色を、前記指定された２色のうちベースとなる１色と同じ色とするものである。
【００４７】
上記発明によれば、原稿の黒領域と、原稿の黒以外の領域の色を夫々指定し、指定された２色でコピーする２色カラーコピーモードおよびイメージリピートコピーモードが選択された際には、仕切線の色を、指定された２色のうちベースとなる１色と同じ色とすることにより、２色カラーコピーモードにおいて、不要な作像色の作像動作を防止する。
【００４８】
また、請求項２６にかかる発明は、請求項２２〜請求項２５のいずれか１つにかかる発明において、前記仕切線の描画の有無を指定する仕切線描画有無指定工程を含むものである。上記発明によれば、仕切線の描画の有無を指定することにより、イメージリピートコピーモードで仕切線を入れるか否かの指定を可能とする。
【００４９】
また、請求項２７にかかる発明は、請求項２２〜請求項２６のいずれか１つにかかる発明において、前記仕切線の濃度を指定する仕切線濃度指定工程を含むものである。上記発明によれば、仕切線の濃度を指定することにより、イメージリピートモードで仕切線の濃度の指定を可能とする。
【００５０】
また、請求項２８にかかる発明は、請求項２２〜請求項２７のいずれか１つにかかる発明において、複数の線種から前記仕切線の線種を指定する仕切線線種指定工程を含むものである。上記発明によれば、複数の線種から仕切線の線種を指定することにより、イメージリピートコピーモードで仕切線の種類を指定可能とする。
【００５１】
また、請求項２９にかかる発明は、複数の作像色の色成分およびそれらの組み合わせによって可視化される色のうち、使用する色を指定するカラーモードを選択するカラーモード選択工程と、複数枚の原稿画像を転写紙１枚に印刷する集約コピーモードを含むコピーモードを選択するコピーモード選択工程と、カラー画像データに対して、前記選択されたカラーモードおよびコピーモードに応じた画像処理を施す画像処理工程と、前記画像処理が施されたカラー画像データを、前記カラーモード選択工程で選択された前記カラーモードで指定される色を表現する前記作像色にかかる画像メモリの格納領域、感光体および現像ユニットを用いて転写紙に画像形成する画像形成工程と、を含み、前記画像処理工程は、前記コピーモード選択工程で前記集約コピーモードが選択された場合には、１枚の転写紙に転写される各原稿画像間を仕切るための仕切線を描画し、当該仕切線の色を、前記カラーモード選択工程で選択された前記カラーモードで指定される色を表現する前記作像色にかかる前記色成分のみを使用して表現可能な色としたカラー画像形成方法をコンピュータに実行させるためのプログラムを格納したものである。
【００５２】
上記発明によれば、コンピュータで記録媒体に格納されたプログラムを実行することにより、コピーモード選択工程で複数枚の原稿画像を転写紙１枚に印刷する集約コピーモードが選択された場合には、１枚の転写紙に転写される各原稿画像間を仕切るための仕切線を描画し、当該仕切線の色を、カラーモード選択工程で選択されたカラーモードで指定される色を表現する作像色にかかる色成分のみを使用して表現可能な色とし、仕切線を含むカラー画像データを、カラーモード選択工程で選択されたカラーモードで指定される色を表現する作像色にかかる画像メモリの格納領域、感光体および現像ユニットを用いて転写紙に画像形成するカラー画像形成方法を実行して、仕切線を除くカラー画像データの画像形成に使用されない作像色にかかる画像メモリの格納領域、感光体および現像ユニットを、仕切線を描画するだけのために使用することを回避する。
【００５３】
また、請求項３０にかかる発明は、複数の作像色の色成分およびそれらの組み合わせによって可視化される色のうち、使用する色を指定するカラーモードを選択するカラーモード選択工程と、１枚の原稿画像を転写紙１枚に複数回繰り返して印刷するイメージリピートコピーモードを含むコピーモードを選択するコピーモード選択工程と、カラー画像データに対して、前記カラーモード選択工程で選択された前記カラーモードおよび前記コピーモード選択工程で選択された前記コピーモードに応じた画像処理を施す画像処理工程と、前記画像処理が施されたカラー画像データを、前記カラーモード選択工程で選択された前記カラーモードで指定される色を表現する前記作像色にかかる画像メモリの格納領域、感光体および現像ユニットを用いて転写紙に画像形成する画像形成工程と、を含み、前記画像処理工程は、前記コピーモード選択工程で前記イメージリピートコピーモードが選択された場合には、１枚の転写紙に転写される各原稿画像間を仕切るための仕切線を描画し、当該仕切線の色を、前記カラーモード選択工程で選択された前記カラーモードで指定される色を表現する前記作像色にかかる前記色成分のみを使用して表現可能な色としたカラー画像形成方法をコンピュータに実行させるためのプログラムを格納したものである。
【００５４】
また、上記発明によれば、コンピュータで記録媒体に格納されたプログラムを実行することにより、コピーモード選択工程で１枚の原稿画像を転写紙１枚に複数回繰り返して印刷するイメージリピートコピーモードが選択された場合には、１枚の転写紙に転写される各原稿画像間を仕切るための仕切線を描画し、当該仕切線の色を、カラーモード選択工程で選択されたカラーモードで指定される色を表現する作像色にかかる色成分のみを使用して表現可能な色とし、仕切線を含むカラー画像データを、カラーモード選択工程で選択されたカラーモードで指定される色を表現する作像色にかかる画像メモリの格納領域、感光体および現像ユニットを用いて転写紙に画像形成するカラー画像形成方法を実行して、仕切線を除くカラー画像データの画像形成に使用されない作像色にかかる画像メモリの格納領域、感光体および現像ユニットを、仕切線を描画するだけのために使用することを回避する。
【００５５】
【発明の実施の形態】
以下、図面を参照して、本発明にかかるカラー画像形成装置およびカラー画像形成方法を適用したフルカラーデジタル複写機の好適な実施の形態を、（フルカラーデジタル複写機の概略メカ構成）、（フルカラーデジタル複写機のハード構成）、（カラーコピーモード）、（集約コピー）、（集約コピーの実施例１）、（集約コピーの実施例２）、（集約コピーの実施例３）、（イメージリピートコピー）、（イメージリピートコピーの実施例１）、（イメージリピートコピーの実施例２）、（イメージリピートコピーの実施例３）の順に説明する。
【００５６】
（フルカラーデジタル複写機の概略メカ構成）
図１は、本発明にかかるフルカラーデジタル複写機の概略構成を示す図である。同図に示すデジタル複写機は、大別すると、原稿自動送り装置（以下、「ＡＤＦ」と称する）１、スキャナユニット（原稿読み取り装置）２、画像書き込みユニット３、画像形成ユニット４、１次転写ユニット５、２次転写ユニット６、および定着ユニット７から構成されている。
【００５７】
ＡＤＦ１は、シートスルータイプとなっており、読み取るべき原稿を、原稿読み取り装置２内に指定される複写倍率に応じた速度で送る。原稿読み取り装置２は、光源、複数のミラーを有するキャリッジ２１、レンズ２２、ＣＣＤ２３、およびバッファ２４等を備え、ＡＤＦ１で送られてきた原稿を走査して読み取り、読み取った画像情報をＩＰＵ１１１（図３参照）に転送する。画像書き込みユニット３は、レザー光源やポリゴンミラーなどを備え、画像情報に応じたレーザービーム３１を画像形成ユニット４に出力する。
【００５８】
画像形成ユニット４は、感光体４１、感光体４１の周囲に配置された帯電チャージャー４２、画像書き込みユニット３から送射されるレーザービーム３１の照射部、ブラック（Ｋ）、シアン（Ｃ）、マゼンダ（Ｍ）、イエロー（Ｙ）からなる回転式または固定式のカラー現像部４３、ドラムクリーニング部４４を備えている。この画像ユニット４では、レーザービーム３１により感光体４１上に静電潜像を形成し、形成した静電潜像をカラー現像部４３で可視可してトナー像を形成する。
【００５９】
１次転写ユニット５は、中間転写ベルト５１、１次転写部５２、テンションローラ５３、２本の２次転写ローラ５４、５５、およびクリーニング部５６を備えている。この１次転写ユニット５は、感光体４１に形成されたトナー像を中間転写ベルト５１に１次転写する。この中間転写ベルト５１は同時に２面分のトナー像を転写できるようになっている。この中間転写ベルト５１は感光体４１上のトナー像を１次転写するとき以外は図示しない接離機構によって感光体４１の表面から離されており、中間転写ベルト５１に１次転写するときだけ感光体４１表面に圧接される。２次転写ユニット６は、中間転写ベルト５１に転写されたトナー像を転写材（転写紙）に２次転写する。トナー像が転写された転写材は、搬送ローによって定着ユニット７まで搬送され、定着ユニットによって転写材のトナー像は熱定着される。この後、転写材はデジタル複写機の機外へ排出される。
【００６０】
上述のフルカラーデジタル複写機は、上述したように、シートスルータイプの原稿自動送り装置（以下ＡＤＦという）を有し、中間転写ベルト５１に同時に小サイズ（本発明の場合は２１６ｍｍ以下）の場合は２面分の画像転写を行うことができ、大サイズ（２１７ｍｍ超）の場合は１面分のみの画像転写を行うことができるように構成されている。
【００６１】
また、本発明のデジタル複写機では、フルカラーコピー時の作像色の順番は、イエロー（Ｙ）→マゼンダ（Ｍ）→シアン（Ｃ）→ブラック（Ｋ）の順となっている。図２は、色の三原色を示しており、Ｙ、Ｍ、Ｃ、Ｋを使用して他色（Ｒ、Ｇ、Ｂ）を表現する場合を示した図である。例えば、ＧはＹとＣの重ね合わせ、ＲはＹとＭの組み合わせによって可視化される。
【００６２】
（フルカラーデジタル複写機のハード構成）
図３は、本発明のフルカラーデジタル複写機のハード構成の概略を示す図である。同図に示す如く、スキャナユニット２の動作を制御する読み取り・スキャナ制御部３０１、操作部３０２、コントローラ１００、マザーボード１１０、ＩＰＵ（画像処理部）１１１、プリンタエンジン３０４等で構成されている。同図において、３０３はフルカラーデジタル複写機の本体を示している。
【００６３】
操作部３０２は、カラーモードやコピーモードを選択するためのモード選択キー、イメージリピートコピーや集約コピー時に転写紙に形成される原稿画像間を仕切るための仕切線の描画の有無、色、濃度、および線の種類等を指定するための仕切線指定キー、コピー倍率を指定するための変倍キー、ならびにコピーの実行を指示するスタートキー等を備えており、選択された指示内容はコントローラ１００に出力される。カラーモードとしては、詳細には後述するように、フルカラーコピーモード、２色カラーコピーモード、シングルカラーコピーモードを備えている。コピーモードとしては、集約コピーモード、イメージリピートコピーモード等を備えている。
【００６４】
ＩＰＵ１１１は、スキャナユニット２で読み取った画像データに対して画像処理を施すユニットであり、操作部３０２で設定された指示内容に応じて、シェーディング補正処理、γ補正処理、ＭＴＦ補正処理、主走査方向の変倍処理、濃度変換処理、および色変換処理等の処理を行う。また、不図示のカラー判定装置は、読み取った原稿がカラー原稿であるか否かの判断を行う。
【００６５】
コントローラ１００は、操作部３０２の入力指示に従い、プログラムＲＯＭ１０１に格納されたプログラムに従って、フルカラーデジタル複写機の各部の動作を制御するユニットであり、ＩＰＵ１１１から入力される画像データを蓄積し、それをプリンタエンジン３０４に画像転送を行うための画像メモリ１０２と、フルカラーデジタル複写機の各部の動作を制御するためのプログラムを格納するプログラムＲＯＭ１０１と、ＨＤＤ１０３等を備えている。
【００６６】
スキャナユニット２とＩＰＵ１１１、コントローラ１００、プリンタエンジン３０４はコマンド通信も可能な画像バスで接続される。マザーボード１１０は、ＩＰＵ１１１、コントローラ１００、プリンタエンジン等を接続するためのものである。
【００６７】
図４は、スキャナユニット２からコントローラ１００の画像メモリ１０２への画像転送イメージを説明するための図である。コントローラ１００は、各色（Ｙ、Ｍ、Ｃ、Ｋ）のフルプレーンデータを格納するための画像メモリ１０２を備えている。画像メモリ１０２は、Ｙ、Ｍ、Ｃ、Ｋのフルプレーンデータを各々格納するＹ格納領域（Ｙプレーン）、Ｍ格納領域（Ｍプレーン）、Ｃ格納領域（Ｃプレーン）、Ｋ格納領域（Ｋプレーン）を有している。スキャナユニット２では、原稿のＹ、Ｍ、Ｃ、Ｋ成分の画像を同時に読み取り、ビデオバスを介して、Ｙ、Ｍ、Ｃ、Ｋデータを１ライン毎に線順次で同時にコントローラ１００に転送する。コントローラ１００は、スキャナユニット２から１ライン毎に線順次で転送されてくるＹ、Ｍ、Ｃ、Ｋデータを、１ライン毎に線順次（ライン順次）で、Ｙ格納領域（Ｙプレーン）、Ｍ格納領域（Ｍプレーン）、Ｃ格納領域（Ｃプレーン）、Ｋ格納領域（Ｋプレーン）に順次記憶する。
【００６８】
以下の説明では、コピー読み取り画像の解像度を１ピクセル＝６００ｄｐｉ／２値データとして考えるが、この量子化については、特に限定しない。例えば、１ピクセル＝６００ｄｐｉ／８ビット階調とした場合は、単純に８倍となるだけである。上記を前提とすると、Ａ３サイズ（４２０ｍｍ×２９７ｍｍ）の各色毎（Ｙ、Ｍ、Ｃ、Ｋ）に必要となる画像メモリ１０２は、｛４２０（ｍｍ）ｘ６００（ｄｐｉ）／２５．４（ｍｍ）｝ｘ｛２９７（ｍｍ）ｘ６００（ｄｐｉ）／２５．４（ｍｍ）｝＝６９６０５０５９（ｄｏｔ）となる。画像データとしては１バイト＝８ｄｏｔ（ｂｉｔ）で有ることより、６９６０５０５９／８＝８７００６３２（ｂｙｔｅ）＝８．７（Ｍｂｙｔｅ）となる。これを、１プレーン当たりの画像メモリ１０２の容量とする。
【００６９】
（カラーモード）
つぎに、上述のカラーモードについて説明する。本発明のフルカラーデジタル複写機は、カラーモードとして、▲１▼シングルカラーコピーモード、▲２▼２色カラーコピーモード、▲３▼フルカラーコピーモードを備えている。
【００７０】
▲１▼シングルカラーコピーモード
シングルカラーコピーモードは、原稿を指定された１色でコピーするモードである。図５を参照して、シングルカラーコピーモードを説明する。図５に示すように、指定色としては、イエロー、マゼンタ、シアン、ブラック、レッド、グリーン、ブルーが指定可能となっている。
【００７１】
同じシングルカラーでも、イエロー、マゼンタ、シアン、ブラックは１色のトナーでコピーされるが、例えば、レッド、グリーン、ブルーは２色のトナーを使用してコピーされる。Ｙ、Ｍ、Ｃ、Ｋのいずれか１色でコピーを行う際には、コントローラ１００の画像メモリ１０２を１プレーンのみ使用し、他方、レッド、グリーン、ブルーのいずれか１色でコピーを行う際にはコントローラ１００の画像メモリ１０２を２プレーン使用することになる。色の変換は、ＩＰＵ１１１で原稿読み取り時に行われる。
【００７２】
▲２▼２色カラーコピーモード
２色カラーコピーモードは、原稿の「黒部分」と、原稿の「黒部分以外」の色をそれぞれ指定し、指定された２色でコピーするモードである。図６を参照して、２色カラーコピーモードを説明する。図６に示すように、指定色としては、イエロー、マゼンタ、シアン、ブラック、レッド、グリーン、ブルーが指定可能となっている。同図では、原稿の矢印部分が「黒部分」となっており、他の部分が「黒部分以外」となっている。
【００７３】
同図に示すように、原稿の「黒部分以外」を▲１▼の色に変更し、原稿の「黒部分」を▲２▼の色に変更してコピーが可能となっている。同じ２色カラーコピーでも、イエロー、マゼンタ、シアン、ブラックのみの出力色で２色コピーを指定された場合はには、２色のトナーでコピーされるが、組み合わせによってはＹ、Ｍ、Ｃ、Ｋのトナーを２色、３色、或いは４色のトナーを使用することになる。例えば、レッド、グリーン、ブルーは２色のトナーを使用してコピーされる。従って、コントローラ１００の画像メモリ１０２を、Ｙ、Ｍ、Ｃ、Ｋのいずれか２色でコピーを行う際には２プレーンのみを使用することになる。他方、それ以外の色にてコピーを行う際には、コントローラ１００の画像メモリ１０２の３プレーンまたは４プレーンを使用することになる。色の変換は、ＩＰＵ１１１で原稿読み取り時に行われる。
【００７４】
▲３▼フルカラーコピーモード
フルカラーコピーモードは、フルカラー原稿をフルカラーで出力するコピーモードである。この場合、基本的に作像色が４色にてフルカラー出力することになるので、コントローラ１００の画像メモリ１０２を４プレーン使用することになる。
【００７５】
（集約コピー）
集約コピーモードは、複数枚の原稿画像を転写紙１枚に集約してコピーするモードである。集約コピーでは、原稿複数枚の画像を転写紙１枚に集約してコピーするために、読み取った原稿画像をコントローラ１００の画像メモリ１０２上に集約して記憶させる。集約コピーの原理を図７を参照して説明する。
【００７６】
図７において、５０１は原稿一枚目、５０２は原稿２枚目を示している。原稿１枚目５０１は、同図の矢印の方向に原稿読み取り走査が行われ、読み取ったラインは、随時、コントローラ１００の画像メモリ１０２に転送されて記憶される。同図の５０３は、コントローラ１０１の画像メモリ１０２のイメージを示しており、同図のＡ→Ｂの順に画像メモリ１０２上に画像データが書き込み走査される。原稿１枚分の走査が終了すると、次の原稿５０２が読み取られ、画像メモリ１０２上に走査され、最終的には、５０３で示される２つの原稿画像が画像メモリ１０２上に記憶される。この画像メモリ１０２上の原稿画像を作像動作に同期させ、プリンタエンジン３０４に転送する。また、集約コピーでは、原稿複数枚の画像間を仕切るための仕切線が描画される。
【００７７】
（集約コピーの実施例１）
フルカラーコピーモードで、集約コピーを行う場合を図８〜図１０を参照して説明する。図８は、フルカラーコピーモードで、集約コピーを行う場合の処理を説明するためのフローチャートである。図９は、フルカラーコピーモードで集約コピーを行う場合を説明するための説明図である。図１０は、仕切線色と仕切線を描画する画像メモリ１０２のフレームの関係を示す図である。フルカラーコピーモードにおける集約コピーでは、仕切線色は、Ｙ（イエロー）、Ｍ（マゼンタ）、Ｃ（シアン）、Ｋ（ブラック）の組み合わせによって実現できる任意の色（Ｙ、Ｍ、Ｃ、Ｋ、Ｒ、Ｇ、Ｂ）が操作部３０２の操作で指定可能となっている。以下の説明では、図９に示すような、原稿１および原稿２を集約コピーする場合について説明する。
【００７８】
図８において、まず、操作部３０２で、フルカラーコピーモード、集約コピーモード、および仕切線色が選択されて（ステップＳ１）、スタートキーが押下されると（ステップＳ２）、コントローラ１００は、フルカラーコピー時に必要な画像メモリ１０２の領域（４プレーン）を確保する（ステップＳ３）。上述したように、フルカラーコピーは、Ｙ、Ｍ、Ｃ、Ｋの４つの作像色によって実現されるため、画像メモリ１０２としては４プレーン（フレーム）が必要となる。
【００７９】
つづいて、コントローラ１００は、確保した画像メモリ１０２の領域のデータをクリアする（ステップＳ４）。画像メモリ１０２は、常時使用されるため、クリアしておかないと、不要な画像が出る可能性があるため、一度、画像メモリ１０２上のデータをクリアする。
【００８０】
そして、スキャナユニット２で原稿１の画像を読み取り、読み取った画像データをＩＰＵ１１１を介して原稿１の画像データをコントローラ１００の画像メモリ１０２に走査する（ステップＳ５）。具体的には、確保した画像メモリ１０２のＹ、Ｍ、Ｃ、Ｋの各フレームの先頭アドレスをＡ１、Ａ２、Ａ３、Ａ４番地とし、主走査方向Ｖ（バイト）、副走査方向Ｈ（バイト）の大きさとすると、スキャナユニット２／ＩＰＵ１１１から転送されてくる画像データは、Ｙ、Ｍ、Ｃ、Ｋの色毎に、Ａ１、Ａ２、Ａ３、Ａ４のアドレスより、主走査方向Ｖ／２、副走査方向Ｈの領域に対して画像転送される。Ｙ色については、ＩＰＵ１１１は１ラインを読み取ると、Ａ１〜（Ａ１＋Ｖ／２）のアドレスにデータを転送するが、２ライン目の転送するアドレスは、（Ａ１＋Ｖ）〜（Ａ１＋Ｖ＋Ｖ／２）の領域である。
【００８１】
すなわち、ＩＰＵ１１１から画像データは各ライン毎に、画像メモリ１０２の（Ａ１＋Ｖ×Ｎ）〜（Ａ１＋Ｖ／２＋Ｖ×Ｎ）の領域に転送される。ここで、Ｎは、ＩＰＵ１１１で読みとったライン番号を示している。Ｃ、Ｍ、Ｋについても同様に、それぞれ（Ａ２＋Ｖ×Ｎ）〜（Ａ２＋Ｖ／２＋Ｖ×Ｎ）、（Ａ３＋Ｖ×Ｎ）〜（Ａ３＋Ｖ／２＋Ｖ×Ｎ）、（Ａ４＋Ｖ×Ｎ）〜（Ａ４＋Ｖ／２＋Ｖ×Ｎ）の領域に転送される。
【００８２】
この後、スキャナユニット２によって、原稿２の画像を読み取り、スキャナユニット２からＩＰＵ１１１を介して原稿２の画像データがコントローラ１００の画像メモリ１０２に走査される（ステップ６）。具体的には、確保された画像メモリ１０２のＹ、Ｍ、Ｃ、Ｋの各フレームの先頭アドレスをＡ１、Ａ２、Ａ３、Ａ４番地とし、主走査方向Ｖ（バイト）、副走査方向Ｈ（バイト）の大きさとすると、ＩＰＵ１１１から画像データは各ライン毎に、（Ａ１＋Ｖ×Ｎ＋Ｖ／２）〜（Ａ１＋Ｖ×（Ｎ＋１））の領域に転送される。ただし、ＮはＩＰＵ１１１で読み取ったライン番号を示している。
【００８３】
Ｃ、Ｍ、Ｋについても同様に、それぞれ、画像メモリ１０２の（Ａ２＋Ｖ×Ｎ＋Ｖ／２）〜（Ａ２＋Ｖ×（Ｎ＋１））、（Ａ３＋Ｖ×Ｎ＋Ｖ／２）〜（Ａ３＋Ｖ×（Ｎ＋１））、（Ａ４＋Ｖ×Ｎ＋Ｖ／２）〜（Ａ４＋Ｖ×（Ｎ＋１））の領域に転送される。
【００８４】
つづいて、コントローラ１００は、指定された仕切線色で画像メモリ１０２の対応するプレーンに仕切線を描画する（ステップＳ７）。具体的には、指定された仕切線色に応じて、図１０に従って、画像メモリ１０２のフレーム（プレーン）に仕切線が描画される。例えば、仕切線色がＲ（レッド）の場合は、ＹとＭのフレームに対してデータを描画する。
【００８５】
また、例えば、仕切線色がＹの場合、上記画像メモリ１０２のフレームの先頭アドレスＡ１、主走査幅Ｖ、副走査幅Ｈとすると、Ａ１＋Ｖ×Ｎ＋Ｖ／２（Ｎ＝０、１、２…、Ｈ）の各アドレスのデータに対して、例えば、１ドットの実線を描画する場合には、、０１Ｈのデータをそれぞれに描画すれば良い。本発明では、仕切線を約０．３ｍｍとしているので、約８ドットの幅で描画すれば良く、ＦＦＨの仕切線データで埋めることになる。また、この場合は、画像メモリ１０２のＹ以外のプレーンについては仕切線の描画を行わない。
【００８６】
なお、ここでは、７色（Ｙ、Ｍ、Ｃ、Ｋ、Ｒ、Ｇ、Ｂ）での実施方法を示したが、例えば、ライトグリーンのような中間色が指定された場合は、Ｙのプレーンに対して、仕切線データとしてＦＦＨ、Ｃのプレーンに対してはＡＡＨのデータを用いることによって実現することも可能である。
【００８７】
この後、コントローラ１００は、画像メモリ１０２の各フレームの画像データを各色毎に、プリンタエンジン３０４に転送し、プリンタエンジン３０４では各色毎に作像が行われ、最終的に転写紙にトナー像が転写される（ステップＳ８）。これにより、例えば、図９に示すような集約コピーが得られることになる。
【００８８】
以上説明したように、集約コピーをフルカラーモードで実行する場合には、複数枚の画像間を仕切るための仕切線の色として、Ｙ（イエロー）、Ｍ（マゼンタ）、Ｃ（シアン）、Ｋ（ブラック）の組み合わせによって実現できる任意の色（Ｙ、Ｍ、Ｃ、Ｋ、Ｒ、Ｇ、Ｂ等）を指定可能としたので、フルカラーモードで使用する作像色（Ｙ、Ｍ、Ｃ、Ｋ）の組み合わせで実現できる任意の色で、画像間の仕切線を形成することができ、生産性を低下させずに、任意の色の仕切線を形成することができ、ユーザーの使い勝手が良い集約コピー機能を提供することが可能となる。付言すると、フルカラーモードでは、４色（Ｙ、Ｍ、Ｃ、Ｋ）の作像動作を必然的に行う必要があり、また、画像メモリ１０２もこの４色分の領域（プレーン）を確保するために、仕切線の色は、４色（Ｙ、Ｍ、Ｃ、Ｋ）の組み合わせで実現できる任意の色を指定可能としても、原稿の画像形成に使用されずに、仕切線を描画するためだけに、画像メモリ１０２のプレーンや現像ユニットを使用するということはない。
【００８９】
（集約コピーの実施例２）
シングルカラーコピーモードで、集約コピーを行う場合を図１１〜図１３を参照して説明する。図１１は、シングルカラーコピーモードで、集約コピーを行う場合の処理を説明するためのフローチャートである。図１２は、シングルカラーコピーモードで集約コピーを行う場合を説明するための説明図である。図１３は、仕切線色と仕切線を描画するフレームの関係を示す図である。シングルカラーコピーモードにおける集約コピーでは、原稿画像間を仕切る仕切線色として、Ｙ、Ｍ、Ｃ、Ｋの作像色の組み合わせにて実現されるシングルカラーと同じ色が自動的に指定される。以下のフローチャートでは、図１２に示すような、原稿１および原稿２を集約コピーする場合について説明する。
【００９０】
図１１において、まず、操作部３０２で、シングルカラーコピーモード、シングルカラー、集約コピーモードが選択されて（ステップＳ１１）、スタートキーが押下されると（ステップＳ１２）、コントローラ１００は、シングルカラーコピー時に必要な画像メモリ１０２の領域を確保する（ステップＳ１３）。上述したように、シングルカラーコピーは、Ｙ、Ｍ、Ｃ、Ｋの４つの作像色のうち１つまたは２つの組み合わせで実現されるために、画像メモリ１０２としては最大２プレーン（フレーム）必要となる。
【００９１】
つづいて、コントローラ１００は、確保した画像メモリ１０２の領域をクリアする（ステップＳ１４）。画像メモリ１０２は、常時使用されるため、画像メモリ１０２をクリアしておかないと、不要な画像が出る可能性が有るために、ここでは一度メモリ上のデータをクリアしておく。
【００９２】
そして、スキャナユニット２で原稿１の画像データを読み取り、スキャナユニット２からＩＰＵ１１１を介して原稿１の画像データがコントローラ１００の画像メモリ１０２に走査される（ステップＳ１５）。具体的には、ここで２つのプレーンによってシングルカラーを実現する色が選択された場合、確保した画像メモリ１０２の各フレームの先頭アドレスをＡ１、Ａ２番地とし、主走査方向Ｖ（バイト）、副走査方向Ｈ（バイト）の大きさとした場合、スキャナユニット２／ＩＰＵ１１１からは転送される画像データはＡ１、Ａ２のアドレスより、主走査方向Ｖ／２、副走査方向Ｈだけの領域に対して画像転送される。２色のうち１色については、ＩＰＵ１１１は１ラインを読み取ると、Ａ１〜（Ａ１＋Ｖ／２）のアドレスにデータを転送するが、２ライン目の転送するアドレスは、（Ａ１＋Ｖ）〜（Ａ１＋Ｖ＋Ｖ／２）の領域である。
【００９３】
すなわち、ＩＰＵ１１１から画像データは各ライン毎に、画像メモリ１０２の（Ａ１＋Ｖ×Ｎ）〜（Ａ１＋Ｖ／２＋Ｖ×Ｎ）、及び（Ａ２＋Ｖ×Ｎ）〜（Ａ２＋Ｖ／２＋Ｖ×Ｎ）の領域に転送される。ここで、ＮはＩＰＵ１１１で読み取ったライン番号である。
【００９４】
この後、スキャナユニット２によって、原稿２の画像データを読み取り、スキャナユニット２からＩＰＵ１１１を介して原稿１の画像データをコントローラ１００の画像メモリ１０２に走査する（ステップＳ１６）。具体的には、確保された画像メモリのＹ、Ｍ、Ｃ、Ｋの各フレームの先頭アドレスをＡ１、Ａ２、Ａ３、Ａ４番地とし、主走査方向Ｖ（バイト）、副走査方向Ｈ（バイト）の大きさとすると、ＩＰＵ１１１から画像データは各ライン毎に、（Ａ１＋Ｖ×Ｎ）〜（Ａ１＋Ｖ／２＋Ｖ×Ｎ）、及び（Ａ２＋Ｖ×Ｎ）〜（Ａ２＋Ｖ／２＋Ｖ×Ｎ）の領域に転送される。
【００９５】
つづいて、コントローラ１００は、選択されたシングルカラーと同じ色の仕切線色に対応するプレーンに仕切線を描画する（ステップＳ１７）。具体的には、指定される仕切線色に応じて、図１３に従って、画像メモリ１０２のフレーム（プレーン）に仕切線が描画される。例えば、指定されたシングルカラーがレッドの場合は、仕切線色も自動的にレッドとなり、ＹとＭのフレームに対して仕切線データを描画する。
【００９６】
また、例えば、シングルカラーとしイエローが指定された場合は、仕切線色もイエローとなり、画像メモリ１０２のフレームの先頭アドレスＡ１、主走査幅Ｖ、副走査幅Ｈとした場合は、Ａ１＋Ｖ×Ｎ＋Ｖ／２（Ｎ＝０、１、２…、Ｈ）の各アドレスのデータに対して、例えば、１ドットの実線を描画する場合は、０１Ｈのデータをそれぞれに描画すれば良い。本発明では、仕切線を約０．３ｍｍとしているので、およそ８ドットの幅で描画すればよく、ＦＦＨの仕切線データで埋めることとなる。また、この場合は、Ｙ以外のプレーンについては描画を行わない。なお、ここでは、７色（Ｙ、Ｍ、Ｃ、Ｋ、Ｒ、Ｇ、Ｂ）での実施方法を示したが、例えば、ライトグリーンのような中間色でシングルカラー色が指定された場合は、仕切線色も同じ色とすることより、Ｙのプレーンに対して、仕切線データとしてＦＦＨ、Ｃのプレーンに対してはＡＡＨのデータを用いることによって実現することも可能である。
【００９７】
この後、コントローラ１００は、画像メモリ１０２の各フレームの画像データを各色毎に、プリンタエンジン３０４に転送し、プリンタエンジン３０４では各色毎に作像が行われ、最終的に転写紙にトナー像が転写される（ステップＳ１８）。これにより、例えば、図１２に示すような集約コピーが得られることになる。
【００９８】
以上説明したように、集約コピーをシングルカラーモードで実行する場合には、複数枚の画像間を仕切るための仕切線の色を、Ｙ、Ｍ、Ｃ、Ｋの作像色の組み合わせにて実現されるシングルカラーと同じ色としたので、不要な作像色の作像動作を行う必要を防止でき、生産性の確保、プリンタエンジンの長寿命化、ならびに、ユーザーが所望するアウトプットを提供することが可能となる。付言すると、集約コピーをシングルカラーモードで実行する場合に、仕切線の色の指定として、４色の任意の組み合わせを可能とすると、仕切線を画像形成するためだけに感光体や現像ユニットなどを駆動する必要が生じ、生産性が低下する恐れや感光体や現像ユニットの寿命の面で不利となる。具体的には、例えば、シングルカラーとしてＹが、仕切線としてＭが選択されると、Ｍの仕切線を画像形成するためだけに、画像メモリ１０２のＭプレーン、Ｍ現像ユニット、および感光体等が使用されることになる。
【００９９】
（集約コピーの実施例３）
２色カラーコピーモードで、集約コピーを行う場合を図１４〜図１６を参照して説明する。図１４は、２色カラーコピーモードで、集約コピーを行う場合の処理を説明するためのフローチャートである。図１５は、２色カラーコピーモードで集約コピーを行う場合を説明するための説明図である。図１６は、仕切線色と仕切線を描画するフレームの関係を示す図である。２色カラーコピーモードにおける集約コピーでは、仕切線の色として、２色カラーコピーの２色のうちベースとなる１色の色が自動的に指定される。以下のフローチャートでは、図１５に示すような、原稿１および原稿２を集約コピーする場合について説明する。
【０１００】
図１４において、まず、操作部３０２で、２色カラーコピーモード、２色カラー、集約コピーモードが選択されて（ステップＳ２１）、スタートキーが押下されると（ステップＳ２２）、コントローラ１００は、２色カラーコピー時に必要な画像メモリ１０２領域を確保する（ステップＳ２３）。上述したように、２色カラーコピーは、Ｙ、Ｍ、Ｃ、Ｋの４つの作像色のうち２つ以上の組み合わせで実現されるために、画像メモリ１０２としては最大４プレーン（フレーム）必要となる。
【０１０１】
つづいて、コントローラ１００は、確保した画像メモリ１０２の領域のデータをクリアする（ステップＳ２４）。画像メモリ１０２は、常時使用されるため、画像メモリ１０２をクリアしておかないと、不要な画像が出る可能性が有るため、一度メモリ上のデータをクリアしておく。
【０１０２】
そして、スキャナユニット２で原稿１の画像を読み取り、スキャナユニット２からＩＰＵ１１１を介して原稿１の画像データをコントローラ１００の画像メモリ１０２に走査する（ステップＳ２５）。具体的には、３つのプレーンによって２色カラーを実現する色が選択された場合、確保された各フレームの先頭アドレスをＡ１、Ａ２番地とし、主走査方向Ｖ（バイト）、副走査方向Ｈ（バイト）の大きさとすると、スキャナユニット２／ＩＰＵ１１１からは転送される画像データはＡ１、Ａ２、Ａ３のアドレスより、主走査方向Ｖ／２、副走査方向Ｈの領域に対して画像転送される。３色のうち１色については、ＩＰＵ１１１は１ラインを読み取ると、Ａ１〜（Ａ１＋Ｖ／２）のアドレスにデータを転送するが、２ライン目の転送するアドレスは、（Ａ１＋Ｖ）〜（Ａ１＋Ｖ＋Ｖ／２）の領域である。
【０１０３】
すなわち、ＩＰＵ１１１から画像データは各ライン毎に、（Ａ１＋Ｖ×Ｎ）〜（Ａ１＋Ｖ／２＋Ｖ×Ｎ）、（Ａ２＋Ｖ×Ｎ）〜（Ａ２＋Ｖ／２＋Ｖ×Ｎ）、及び（Ａ３＋Ｖ×Ｎ）〜（Ａ３＋Ｖ／２＋Ｖ×Ｎ）の領域に転送される。ここで、ＮはＩＰＵ１１１で読み取ったライン番号を示している。
【０１０４】
この後、スキャナユニット２によって、原稿２を読み取り、スキャナユニット２からＩＰＵ１１１を介して原稿２の画像データがコントローラ１００の画像メモリ１０２に走査される（ステップＳ２６）。具体的には、確保されたフレームのＹ、Ｍ、Ｃ、Ｋの各フレームの先頭アドレスをＡ１、Ａ２、Ａ３、Ａ４番地とし、主走査方向Ｖ（バイト）、副走査方向Ｈ（バイト）の大きさとすると、ＩＰＵ１１１から画像データは各ライン毎に、（Ａ１＋Ｖ×Ｎ）〜（Ａ１＋Ｖ／２＋Ｖ×Ｎ）、（Ａ２＋Ｖ×Ｎ）〜（Ａ２＋Ｖ／２＋Ｖ×Ｎ）、及び（Ａ３＋Ｖ×Ｎ）〜（Ａ３＋Ｖ／２＋Ｖ×Ｎ）の領域に転送される。
【０１０５】
つづいて、コントローラ１００は、は指定された２色のうち「ベースとなる」色と同じ仕切線色で対応する画像メモリ１０２のプレーンに仕切線を描画する（ステップＳ２７）。具体的には、指定される仕切線色に応じて、図１６に従って、画像メモリ１０２のフレーム（プレーン）に仕切線が描画される。ここで、「ベースとなる」色は、原稿上の黒画像を変更する「色」である。例えば、ベースとなる色がＲ（レッド）の場合は、ＹとＭのフレームに対して仕切線データを描画する。
【０１０６】
また、例えば、「原稿の黒部分を変更する色」としイエローが指定された場合は、仕切線色もイエローとなり、このフレームを先頭アドレスＡ１、主走査幅Ｖ、副走査幅Ｈとすると、Ａ１＋Ｖ×Ｎ＋Ｖ／２（Ｎ＝０、１、２…、Ｈ）の各アドレスのデータに対して、例えば、１ドットの実線を描画する場合は、０１Ｈのデータをそれぞれに描画すれば良い。本発明では、仕切線を約０．３ｍｍとしているので、およそ８ドットの幅で描画すれば良く、ＦＦＨの仕切線データで埋めることとなる。また、Ｙ以外のプレーンについては走査を行わない。なお、ここでは、７色（Ｙ、Ｍ、Ｃ、Ｋ、Ｒ、Ｇ、Ｂ）での実施方法を示したが、例えば、ライトグリーンのような中間色で「原稿の黒部分を変更する」色が指定された場合は、仕切線色も同じ色とすることより、Ｙのプレーンに対して、仕切線データとしてＦＦＨ、Ｃのプレーンに対してはＡＡＨのデータを用いることによって実現することも可能である。
【０１０７】
この後、コントローラ１００は、画像メモリ１０２の各フレームの画像データを各色毎に、プリンタエンジンに転送し、プリンタエンジンでは各色毎に作像が行われ、最終的に転写紙にトナー像が転写される（ステップＳ２８）。これにより、例えば、図１５に示すような集約コピーが得られることになる。
【０１０８】
以上説明したように、集約コピーを２色カラーモードで実行する場合には、複数枚の画像間を仕切るための仕切線の色を、２色カラーモードで選択された２色のうちベースとなるいずれか１色の色としたので、不要な作像色の作像動作を行う必要がないので、生産性を落とすことなく、また、複雑な指定をさせることもなく、ユーザーにとって違和感のないアウトプットが提供することが可能となる。
【０１０９】
付言すると、集約コピーを２色カラーモードで実行する場合に、仕切線の色として、４色の任意の組み合わせを指定可能とすると、仕切線を画像形成するためだけに感光体や現像ユニットなどを駆動する必要が生じ、生産性が低下する恐れや感光体や現像ユニットの寿命の面で不利となる。他方、２色カラーモードでは、２色の指定の組み合わせ次第では、Ｙ、Ｍ、Ｃ、Ｋの４つの作像色を使用することもある一方、Ｙ、Ｍ、Ｃ、Ｋの２つの作像色のみを使用する場合もある。そこで、作像色の組み合わせで表現可能な色を指定可能とすることも考えられるが、指定方法が複雑となるため、上述のように、仕切線の色を、自動的に、２色カラーモードで選択された２色のうちベースとなるいずれかの色とした。
【０１１０】
（イメージリピートコピーモード）
イメージリピートコピーデータは、１枚の原稿画像を転写紙１枚に複数回繰り返してコピーするモードである。イメージリピートコピーモードでは、１枚の原稿画像を転写紙１枚に複数回繰り返してコピーするために、読み取った原稿画像をコントローラ１００の画像メモリ１０２上に複数回コピーして記憶する。イメージリピートコピーモードの原理を図１７を参照して説明する。
【０１１１】
図１７において、５０１は原稿を示している。原稿に対して、矢印方向に読み取り走査が行われ、読み取ったラインの画像データは、随時、コントローラ１００側の画像メモリ１０２に転送されて記憶される。同図の５０２は、コントローラ１００の画像メモリ１０２のイメージであり、同図のＡ→Ｂの順に画像データが、画像メモリ１０２上に書き込み走査される。この原稿１枚分の走査が終わると、読みとった画像をメモリ上に繰り返して各ライン毎にコピーし、最終的には、５０３で示される２つの原稿画像が画像メモリ１０２上に記憶される。この原稿画像を作像動作に同期させ、プリンタエンジン３０４に転送する。また、イメージリピートコピーでは、リピートされる画像間を仕切るための仕切線が描画される。
【０１１２】
ここで、２つの画像を繰り返す場合を説明しているが、画像の繰り返し個数は原稿画像の大きさと転写紙の大きさおよび画像の変倍率から決定される。図１８は、変倍率によるイメージリピート個数を示している。例えば、図１８に示すように、原稿Ａ４サイズを７１％の縮小率で読み取り、Ａ４転写紙にイメージリピートコピーを行うと、２つの画像が繰り返される。また、５０％で読み取ると、４つの画像が繰り返される。また、縮小率＝３５％で読み取りを行うと、８個の画像が繰り返される繰り返される。ここでは、２つの画像を繰り返すパターンを例としているが、リピートされる個数にはこれに限られるものではない。
【０１１３】
（イメージリピートコピーモードの実施例１）
フルカラーコピーモードで、イメージリピートコピーを行う場合を図１９〜図２１を参照して説明する。図１９は、フルカラーコピーモードで、イメージリピートコピーを行う場合の処理を説明するためのフローチャートである。図２０は、フルカラーコピーモードでのイメージリピートコピーを説明するための説明図である。図２１は、仕切線色と仕切線を描画するフレームの関係を示す図である。フルカラーコピーモードにおけるイメージリピートコピーでは、仕切線色は、Ｙ（イエロー）、Ｍ（マゼンタ）、Ｃ（シアン）、Ｋ（ブラック）の組み合わせによって実現できる任意の色（Ｙ、Ｍ、Ｃ、Ｋ、Ｒ、Ｇ、Ｂ）が操作部３０２で指定可能となっている。以下の説明では、図２０に示すような、原稿１をイメージリピートコピーする場合について説明する。
【０１１４】
図１９において、まず、操作部３０２で、フルカラーモード、イメージリピートコピーモード、仕切線の色が選択されて（ステップＳ３１）、スタートキーが押下されると（ステップＳ３２）、コントローラ１００は、フルカラーコピー時に必要な画像メモリ１０２の領域（４プレーン）を確保する（ステップＳ３３）。上述したように、フルカラーコピーは、Ｙ、Ｍ、Ｃ、Ｋの４つの作像色によって実現されるために、画像メモリ１０２としては４プレーン（フレーム）必要となる。
【０１１５】
つづいて、コントローラ１００は、確保した画像メモリ１０２の領域をクリアする（ステップＳ３４）。画像メモリ１０２は、常時使用されるので、画像メモリ１０２をクリアしておかないと、不要な画像が出る可能性が有るため、一度、画像メモリ１０２上のデータをクリアしておく。
【０１１６】
そして、スキャナユニット２で原稿１の画像データを読み取り、スキャナユニット２からＩＰＵ１１１を介して原稿１の画像データをコントローラ１００の画像メモリ１０２に走査する（ステップＳ３５）。具体的には、確保された画像メモリ１０２のフレームのＹ、Ｍ、Ｃ、Ｋの各フレームの先頭アドレスをＡ１、Ａ２、Ａ３、Ａ４番地とし、コントローラ１００メモリが主走査方向Ｖ（バイト）、副走査方向Ｈ（バイト）の大きさとすると、スキャナユニット２／ＩＰＵ１１１から転送される画像データは、Ｙ、Ｍ、Ｃ、Ｋそれぞれの色毎に、Ａ１、Ａ２、Ａ３、Ａ４のアドレスより、主走査方向Ｖ／２、副走査方向Ｈの領域に対して画像転送される。Ｙ色については、ＩＰＵ１１１は１ラインを読み取ると、Ａ１〜（Ａ１＋Ｖ／２）だけのアドレスにデータを転送するが、２ライン目の転送するアドレスは、（Ａ１＋Ｖ）〜（Ａ１＋Ｖ＋Ｖ／２）の領域である。すなわち、ＩＰＵ１１１から画像データは各ライン毎に、（Ａ１＋Ｖ×Ｎ）〜（Ａ１＋Ｖ／２＋Ｖ×Ｎ）の領域に転送される。ここで、ＮはＩＰＵ１１１で読み取ったライン番号を示している。
【０１１７】
Ｃ、Ｍ、Ｋについても同様に、それぞれ、（Ａ２＋Ｖ×Ｎ）〜（Ａ２＋Ｖ／２＋Ｖ×Ｎ）、（Ａ３＋Ｖ×Ｎ）〜（Ａ３＋Ｖ／２＋Ｖ×Ｎ）、（Ａ４＋Ｖ×Ｎ）〜（Ａ４＋Ｖ／２＋Ｖ×Ｎ）の領域に転送される。
【０１１８】
続いて、コントローラ１００は、画像メモリ１０２上で画像データを繰り返してコピーする（ステップＳ３６）。具体的には、確保された画像メモリ１０２のフレームのＹ、Ｍ、Ｃ、Ｋの各フレームの先頭アドレスをＡ１、Ａ２、Ａ３、Ａ４番地とし、コントローラ１００の画像メモリ１０２が主走査方向Ｖ（バイト）、副走査方向Ｈ（バイト）だけの大きさとすると、各ライン毎に、（Ａ１＋Ｖ×Ｎ＋Ｖ／２）〜（Ａ１＋Ｖ×（Ｎ＋１））の領域にコピーされる。ここで、Ｎは、ＩＰＵ１１１で読み取ったライン番号である。
【０１１９】
Ｃ、Ｍ、Ｋについても同様に、それぞれ、（Ａ２＋Ｖ×Ｎ＋Ｖ／２）〜（Ａ２＋Ｖ×（Ｎ＋１））、（Ａ３＋Ｖ×Ｎ＋Ｖ／２）〜（Ａ３＋Ｖ×（Ｎ＋１））（Ａ４＋Ｖ×Ｎ＋Ｖ／２）〜（Ａ４＋Ｖ×（Ｎ＋１））の領域にコピーされる。
【０１２０】
そして、コントローラ１００は、指定された仕切線色に対応するプレーンに仕切線を描画する（ステップＳ３７）。具体的には、指定された仕切線に応じて、図２１に従って、画像メモリ１０２のフレーム（プレーン）に仕切線が描画される。例えば、仕切線色がＲ（レッド）の場合は、ＹとＭのフレームに対してデータを描画する。
【０１２１】
また、例えば、仕切線色がＹの場合、上記フレームメモリの先頭アドレスＡ１、主走査幅Ｖ、副走査幅Ｈとすると、Ａ１＋Ｖ×Ｎ＋Ｖ／２（Ｎ＝０、１、２…、Ｈ）の各アドレスのデータに対して、例えば、１ドットの実線を描画する場合は、０１Ｈのデータをそれぞれに描画すれば良い。本発明では、仕切線を約０．３ｍｍとしているので、およそ８ドットの幅で描画すれば良く、ＦＦＨの仕切線データで埋めることとなる。また、この場合は、画像メモリ１０２のＹ以外のプレーンについては走査を行わない。
【０１２２】
なお、ここでは、７色（Ｙ、Ｍ、Ｃ、Ｋ、Ｒ、Ｇ、Ｂ）での実施方法を示したが、例えば、ライトグリーンのような中間色が指定された場合は、Ｙのプレーンに対して、仕切線データとしてＦＦＨ、Ｃのプレーンに対してはＡＡＨのデータを用いることによって実現することも可能である。
【０１２３】
この後、コントローラ１００は、画像メモリ１０２の各フレームの画像データを各色毎に、プリンタエンジンに転送し、プリンタエンジンでは各色毎に作像が行われ、最終的に転写紙にトナー像が転写される（ステップＳ３８）。これにより、例えば、図２０に示すようなイメージリピートコピーが得られることになる。
【０１２４】
以上説明したように、イメージリピートコピーをフルカラーモードで実行する場合には、リピートされる画像間を仕切るための仕切線の色として、Ｙ（イエロー）、Ｍ（マゼンタ）、Ｃ（シアン）、Ｋ（ブラック）の組み合わせによって実現できる任意の色（Ｙ、Ｍ、Ｃ、Ｋ、Ｒ、Ｇ、Ｂ等）を指定可能としたので、フルカラーモードで使用する作像色（Ｙ、Ｍ、Ｃ、Ｋ）の組み合わせで実現できる任意の色で、画像間の仕切線を形成することができ、生産性を低下させずに、任意の色の仕切線を形成することができ、ユーザーの使い勝手が良い、イメージリピートコピー機能を提供することが可能となる。
【０１２５】
付言すると、フルカラーモードでは、４色（Ｙ、Ｍ、Ｃ、Ｋ）の作像動作を必然的に行う必要があり、また、画像メモリ１０２もこの４色分の領域（プレーン）を確保するために、仕切線の色は、４色（Ｙ、Ｍ、Ｃ、Ｋ）の組み合わせで実現できる任意の色を指定可能としても、原稿の画像形成に使用されずに、仕切線を描画するためだけに、画像メモリ１０２のプレーンや現像ユニットを使用するということはない。
【０１２６】
（イメージリピートコピーモードの実施例２）
シングルカラーコピーモードで、イメージリピートコピーを行う場合を図２２〜図２４を参照して説明する。図２２は、シングルカラーコピーモードで、イメージリピートコピーを行う場合の処理を説明するためのフローチャートを示している。図２３は、シングルカラーコピーモードでのイメージリピートコピーを説明するための説明図である。図２４は、仕切線色と仕切線を描画するフレームの関係を示す図である。シングルカラーコピーモードにおけるイメージリピートコピーでは、仕切線色として、Ｙ、Ｍ、Ｃ、Ｋの作像色の組み合わせにて実現されるシングルカラーと同じ色が自動的に指定される。以下の説明では、図２３に示すような、原稿１をイメージリピートコピーする場合について説明する。
【０１２７】
図２２において、まず、操作部３０２で、シングルカラーコピーモード、シングルカラー、イメージリピートモードが選択されて（ステップＳ４１）、スタートキーが押下されると（ステップＳ４２）、コントローラ１００は、シングルカラーコピー時に必要な画像メモリ１０２の領域（プレーン）を確保する（ステップＳ４３）。上述したように、シングルカラーコピーは、Ｙ、Ｍ、Ｃ、Ｋの４つの作像色のうち１つ又は２つの組み合わせに実現されるために、画像メモリ１０２としては最大２プレーン（フレーム）必要となる。
【０１２８】
つづいて、コントローラ１００は、確保した画像メモリ１０２の領域をクリアする（ステップＳ４４）。画像メモリ１０２は、常時使用されるので、画像メモリ１０２をクリアしておかないと、不要な画像が出る可能性が有るため、一度、メモリ上のデータをクリアしておく。
【０１２９】
そして、スキャナユニット２で原稿１の画像を読み取り、スキャナユニット２からＩＰＵ１１１を介して原稿１の画像データをコントローラ１００の画像メモリ１０２に走査する（ステップＳ４５）。具体的には、２つのプレーンによってシングルカラーを実現する色が選択された場合、確保された各フレームの先頭アドレスをＡ１、Ａ２番地とし、主走査方向Ｖ（バイト）、副走査方向Ｈ（バイト）の大きさとすると、スキャナユニット２／ＩＰＵ１１１からは転送される画像データはＡ１、Ａ２のアドレスより、主走査方向Ｖ／２、副走査方向Ｈだけの領域に対して画像転送される。２色のうち１色については、ＩＰＵ１１１は１ラインを読みとると、Ａ１〜（Ａ１＋Ｖ／２）だけのアドレスにデータを転送するが、２ライン目の転送するアドレスは、（Ａ１＋Ｖ）〜（Ａ１＋Ｖ＋Ｖ／２）の領域である。
【０１３０】
すなわち、ＩＰＵ１１１から画像データは各ライン毎に、（Ａ１＋Ｖ×Ｎ）〜（Ａ１＋Ｖ／２＋Ｖ×Ｎ）、及び（Ａ２＋Ｖ×Ｎ）〜（Ａ２＋Ｖ／２＋Ｖ×Ｎ）の領域に転送される。ここで、ＮはＩＰＵ１１１で読み取ったライン番号である。
【０１３１】
この後、コントローラ１００は、画像メモリ１０２上で画像データを繰り返してコピーする（ステップＳ４６）。具体的には、確保された画像メモリ１０２のフレームのＹ、Ｍ、Ｃ、Ｋの各フレームの先頭アドレスをＡ１、Ａ２、Ａ３、Ａ４番地とし、コントローラ１００メモリが主走査方向Ｖ（バイト）、副走査方向Ｈ（バイト）の大きさとすると、ＩＰＵ１１１から画像データは各ライン毎に、（Ａ１＋Ｖ×Ｎ＋Ｖ／２）〜（Ａ１＋Ｖ×（Ｎ＋１））、（Ａ２＋Ｖ×Ｎ＋Ｖ／２）〜（Ａ２＋Ｖ×（Ｎ＋１））の領域にコピーされる。
【０１３２】
つづいて、コントローラ１００は、指定されたシングルカラーと同じ仕切線色で対応するプレーンに仕切線を描画する（ステップＳ４７）。具体的には、指定された仕切線色に応じて、図２４に従って、画像メモリ１０２のフレーム（プレーン）に仕切線が描画される。
【０１３３】
例えば、指定されたシングル色がレッドの場合は、仕切線色も自動的にＲ（レッド）となり、ＹとＭのフレームに対してデータを描画する。
【０１３４】
また、例えば、シングルカラーとしイエローが指定された場合は、仕切線色もイエローとなり、このフレームメモリを先頭アドレスＡ１、主走査幅Ｖ、副走査幅Ｈとすると、Ａ１＋Ｖ×Ｎ＋Ｖ／２（Ｎ＝０、１、２…、Ｈ）の各アドレスのデータに対して、例えば、１ドットの実線を描画する場合には、０１Ｈのデータをそれぞれに描画すれば良い。本発明では、仕切線を約０．３ｍｍとしているので、およそ８ドットの幅で描画すれば良く、ＦＦＨの仕切線データで埋めることとなる。また、この場合は、Ｙ以外のプレーンについては仕切線の描画を行わない。
【０１３５】
なお、ここでは、７色（Ｙ、Ｍ、Ｃ、Ｋ、Ｒ、Ｇ、Ｂ）での実施方法を示したが、例えば、ライトグリーンのような中間色でシングルカラー色が指定された場合は、仕切線色も同じ色とすることより、Ｙのプレーンに対して、仕切線データとしてＦＦＨ、Ｃのプレーンに対してはＡＡＨのデータを用いることによって実現することも可能である。
【０１３６】
この後、コントローラ１００は、画像メモリ１０２の各フレームの画像データを各色毎に、プリンタエンジン３０４に転送し、プリンタエンジン３０４では各色毎に作像が行われ、最終的に転写紙にトナー像が転写される（ステップＳ４８）。これにより、例えば、図２３に示すようなイメージリピートコピーが得られることになる。
【０１３７】
以上説明したように、イメージリピートコピーをシングルカラーモードで実行する場合には、リピートされる画像間を仕切るための仕切線の色を、Ｙ、Ｍ、Ｃ、Ｋの作像色の組み合わせにて実現されるシングルカラーと同じ色としたので、不要な作像色の作像動作を行う必要を防止でき、生産性の確保およびプリンタエンジンの長寿命化を達成でき、さらに、ユーザーが所望するアウトプットを提供することが可能となる。
【０１３８】
付言すると、イメージリピートコピーをシングルカラーモードで実行する場合に、仕切線の色の指定として、４色の任意の組み合わせを可能とすると、仕切線を画像形成するためだけに感光体や現像ユニットなどを駆動する必要が生じ、生産性が低下する恐れや感光体や現像ユニットの寿命の面で不利となる。具体的には、例えば、シングルカラーとしてＹが、仕切線としてＭが選択されると、Ｍの仕切線を画像形成するためだけに、画像メモリ１０２のＭプレーン、Ｍ現像ユニット、および感光体等が使用されることになる。
【０１３９】
（イメージリピートコピーモードの実施例３）
２色カラーコピーモードで、イメージリピートコピーを行う場合を図２５〜図２７を参照して説明する。図２５は、２色カラーコピーモードで、イメージリピートコピーを行う場合の処理を説明するためのフローチャートである。図２６は、２色カラーコピーモードでイメージリピートコピーを行う場合を説明するための説明図である。図２７は、仕切線色と仕切線を描画するフレームの関係を示す図である。２色カラーコピーモードにおけるイメージリピートコピーでは、仕切線の色として、２色カラーのうちベースとなる１色が自動的に指定される。以下の説明では、図２６に示すような、原稿１をイメージリピートコピーする場合について説明する。
【０１４０】
図２５において、まず、操作部３０２で、２色カラーコピーモード、２色カラー、イメージリピートコピーモードが選択されて（ステップＳ５１）、スタートキーが押下されると（ステップＳ５２）、コントローラ１００は、２色カラーコピー時に必要な画像メモリ１０２領域を確保する（ステップＳ５３）。上述したように、２色カラーコピーはＹ、Ｍ、Ｃ、Ｋの４つの作像色のうち２つ以上の組み合わせに実現されるために、画像メモリ１０２としては最大４プレーン（フレーム）必要となる。
【０１４１】
つづいて、コントローラ１００は、確保した画像メモリ１０２の領域をクリアする（ステップＳ５４）。画像メモリ１０２は、常時使用されるため、画像メモリ１０２をクリアしておかないと、不要な画像が出る可能性があるため、一度、画像メモリ１０２上のデータをクリアしておく。
【０１４２】
そして、スキャナユニット２で原稿１の画像を読み取り、スキャナユニット２からＩＰＵ１１１を介して原稿１の画像データをコントローラ１００の画像メモリ１０２に走査する（ステップＳ５５）。具体的には、例えば、画像メモリ１０２の３つのプレーンによって２色カラーを実現する色が選択された場合には、確保された各フレームの先頭アドレスをＡ１、Ａ２番地とし、主走査方向Ｖ（バイト）、副走査方向Ｈ（バイト）の大きさとすると、スキャナユニット２／ＩＰＵ１１１から転送されるデータはＡ１、Ａ２、Ａ３のアドレスより、主走査方向Ｖ／２、副走査方向Ｈの領域に対して画像転送される。３色のうち１色については、ＩＰＵ１１１は１ラインを読みとると、Ａ１〜（Ａ１＋Ｖ／２）のアドレスにデータを転送するが、２ライン目の転送するアドレスは、（Ａ１＋Ｖ）〜（Ａ１＋Ｖ＋Ｖ／２）の領域である。
【０１４３】
すなわち、ＩＰＵ１１１から画像データは各ライン毎に、（Ａ１＋Ｖ×Ｎ）〜（Ａ１＋Ｖ／２＋Ｖ×Ｎ）、（Ａ２＋Ｖ×Ｎ）〜（Ａ２＋Ｖ／２＋Ｖ×Ｎ）、及び（Ａ３＋Ｖ×Ｎ）〜（Ａ３＋Ｖ／２＋Ｖ×Ｎ）の領域に転送される。ここで、ＮはＩＰＵ１１１で読みとったライン番号を示している。
【０１４４】
つづいて、コントローラ１００は、画像メモリ１０２上で画像データを繰り返してコピーする（ステップＳ５６）。具体的には、確保されたフレームのＹ、Ｍ、Ｃ、Ｋの各フレームの先頭アドレスをＡ１、Ａ２、Ａ３、Ａ４番地とし、主走査方向Ｖ（バイト）、副走査方向Ｈ（バイト）だけの大きさとすると、ＩＰＵ１１１から画像データは各ライン毎に、（Ａ１＋Ｖ×Ｎ＋Ｖ／２）〜（Ａ１＋Ｖ×（Ｎ＋１））、（Ａ２＋Ｖ×Ｎ＋Ｖ／２）〜（Ａ２＋Ｖ×（Ｎ＋１））、（Ａ３＋Ｖ×Ｎ＋Ｖ／２）〜（Ａ３＋Ｖ×（Ｎ＋１））の領域にコピーされる。
【０１４５】
コントローラ１００は、選択された２色カラーのうち「ベースとなる」色と同じ仕切線色で画像メモリ１０２の対応するプレーンに仕切線を描画する（ステップＳ５７）。具体的には、仕切線色に応じて、図２７に従って、画像メモリ１０２のフレーム（プレーン）に仕切線が描画される。ここで、「ベースとなる」色は、原稿上の黒画像を変更する「色」である。
【０１４６】
例えば、ベースとなる色がＲ（レッド）の場合は、ＹとＭのフレームに対して仕切線データを描画する。また、「原稿の黒部分を変更する色」としイエローが指定された場合は、仕切線色もイエローとなり、このフレームメモリを先頭アドレスＡ１、主走査幅Ｖ、副走査幅Ｈとした場合は、Ａ１＋Ｖ×Ｎ＋Ｖ／２（Ｎ＝０、１、２…、Ｈ）の各アドレスのデータに対して、例えば、１ドットの実線を描画するならば、０１Ｈのデータをそれぞれに描画すれば良い。本発明では、仕切線を約０．３ｍｍとしているので、およそ８ドットの幅で描画すれば良く、ＦＦＨの仕切線データで埋めることとなる。また、この場合、Ｙ以外のプレーンについては走査を行わない。
【０１４７】
なお、ここでは、７色（Ｙ、Ｍ、Ｃ、Ｋ、Ｒ、Ｇ、Ｂ）での実施方法を示したが、例えば、ライトグリーンのような中間色で「原稿の黒部分を変更する」色が指定された場合は、仕切線色も同じ色とすることより、Ｙのプレーンに対して、仕切線データとしてＦＦＨ、Ｃのプレーンに対してはＡＡＨのデータを用いることによって実現することも可能である。
【０１４８】
この後、コントローラ１００は、画像メモリ１０２の各フレームの画像データを各色毎に、プリンタエンジン３０４に転送し、プリンタエンジン３０４では各色毎に作像が行われ、最終的に転写紙にトナー像が転写される（ステップＳ５８）。これにより、例えば、図２６に示すようなイメージリピートコピーが得られることになる。
【０１４９】
以上説明したように、イメージリピートコピーを２色カラーモードで実行する場合には、複数枚の画像間を仕切るための仕切線の色を、２色カラーモードで選択された２色のうちベースとなるいずれか１色の色としたので、不要な作像色の作像動作を行う必要がないので、生産性を落とすことなく、複雑な仕切線色を指定する必要がなくなり、また、ユーザーにとって違和感のないアウトプットが提供することが可能となる。
【０１５０】
付言すると、イメージリピートコピーを２色カラーモードで実行する場合に、仕切線の色として、４色の任意の組み合わせを指定可能とすると、仕切線を画像形成するためだけに感光体や現像ユニットなどを駆動する必要が生じ、生産性が低下する恐れや感光体や現像ユニットの寿命の面で不利となる。他方、２色カラーモードでは、２色の指定の組み合わせ次第では、Ｙ、Ｍ、Ｃ、Ｋの４つの作像色を使用することもある一方、Ｙ、Ｍ、Ｃ、Ｋの２つの作像色のみを使用する場合もある。そこで、作像色の組み合わせで表現可能な色を指定可能とすることも考えられるが、指定方法が複雑となるため、上述のように、仕切線の色を、自動的に、２色カラーモードで選択された２色のうちベースとなるいずれかの色とした。
【０１５１】
なお、上述のカラー画像形成方法は、予め用意されたプログラムをパーソナルコンピュータや、ワークステーション等のコンピュータで実行することにしても良い。このプログラムは、ハードディスク、フロッピーディスク、ＣＤ−ＲＯＭ、ＭＯ、ＤＶＤ等のコンピュータが読取可能な記録媒体から読み出されることによって実行される。また、このプログラムは、上記記録媒体を介して、また伝送媒体として、インターネット等のネットワークを介して配布することができる。
【０１５２】
また、本発明は、上記した実施の形態に限定されるものではなく、発明の要旨を変更しない範囲で適宜変形可能である。
【０１５３】
【発明の効果】
以上説明したように、請求項１にかかる発明によれば、コピーモード選択手段で複数枚の原稿画像を転写紙１枚に印刷する集約コピーモードが選択された場合には、１枚の転写紙に転写される各原稿画像間を仕切るための仕切線を描画し、当該仕切線の色を、カラーモード選択手段で選択されたカラーモードで指定される色を表現する作像色にかかる色成分のみを使用して表現可能な色とし、仕切線を含むカラー画像データを、カラーモード選択手段で選択されたカラーモードで指定される色を表現する作像色にかかる画像メモリの格納領域、感光体および現像ユニットを用いて転写紙に画像形成することとしたので、仕切線を除くカラー画像データの画像形成に使用されない作像色にかかる画像メモリの格納領域、感光体および現像ユニットを、仕切線を描画するだけのために使用するという無駄を省くことができ、各種カラーコピーモードにおいて、集約コピーを行う場合に、生産性を低下させず、かつ、ユーザーの使い勝手が良いカラー画像形成装置を提供することが可能となるという効果を奏する。
【０１５４】
また、請求項２にかかる発明によれば、請求項１にかかる発明において、カラーモード選択手段でフルカラーモードが選択され、かつ、コピーモード選択手段で集約コピーモードが選択された際には、仕切線の色を、フルカラーコピーで使用する色成分（Ｙ、Ｍ、Ｃ、Ｋ）の組み合わせによって実現できる任意の色に指定可能とすることとしたので、請求項１にかかる発明の効果に加えて、フルカラーモードで使用する作像色（Ｙ、Ｍ、Ｃ、Ｋ）の組み合わせで実現できる任意の色で、画像間の仕切線を形成することができ、仕切線の色の選択の自由度を向上させることが可能となる。
【０１５５】
また、請求項３にかかる発明によれば、請求項１にかかる発明において、カラーモード選択手段で原稿を指定された一色でコピーするシングルカラーコピーモードが選択され、かつ、コピーモード選択手段で集約コピーモードが選択された際には、仕切線の色を、選択されたシングルカラーと同じ色とすることとしたので、請求項１にかかる発明の効果に加えて、シングルカラーモードにおいて、不要な作像色の作像動作を行う必要を防止でき、生産性の確保、プリンタエンジンの消耗を防止することとが可能となる。
【０１５６】
また、請求項４にかかる発明によれば、請求項１にかかる発明において、カラーモード選択手段で、原稿の黒領域と、原稿の黒以外の領域の色を夫々指定し、指定された２色でコピーする２色カラーコピーモードが選択され、かつ、コピーモード選択手段で集約コピーモードが選択された際には、仕切線の色を、指定された２色のうちベースとなる１色と同じ色とすることとしたので、請求項１にかかる発明の効果に加えて、２色カラーコピーモードにおいて、不要な作像色の作像動作を防止でき、また、仕切線の複雑な色指定を回避することが可能となる。
【０１５７】
また、請求項５にかかる発明によれば、請求項１〜請求項４のいずれか１つにかかる発明において、仕切線描画有無指定手段は、仕切線の描画の有無を指定することとしたので、請求項１〜請求項４のいずれか１つにかかる発明の効果に加えて、利用者が、集約コピーモードで仕切線を入れるか否かを決定することができ、より利用者の使い勝手が良くなる。
【０１５８】
また、請求項６にかかる発明によれば、請求項１〜請求項５のいずれか１つにかかる発明において、仕切線濃度指定手段は、仕切線の濃度を指定することとしたので、請求項１〜請求項５のいずれか１つにかかる発明の効果に加えて、利用者が、集約コピーモードで仕切線の濃度を決定することができ、より利用者の使い勝手が良くなる。
【０１５９】
また、請求項７にかかる発明によれば、請求項１〜請求項６のいずれか１つにかかる発明において、仕切線線種指定手段は、複数の線種の中から仕切線の線種を指定することとしたので、請求項１〜請求項６のいずれか１つにかかる発明の効果に加えて、利用者が、集約コピーモードで仕切線の種類を決定することができ、より利用者の使い勝手が良くなる。
【０１６０】
また、請求項８にかかる発明によれば、コピーモード選択手段で１枚の原稿画像を転写紙１枚に複数回繰り返して印刷するイメージリピートコピーモードが選択された場合には、１枚の転写紙に転写される各原稿画像間を仕切るための仕切線を描画し、当該仕切線の色を、カラーモード選択手段で選択されたカラーモードで指定される色を表現する作像色にかかる色成分のみを使用して表現可能な色とし、仕切線を含むカラー画像データを、カラーモード選択手段で選択されたカラーモードで指定される色を表現する作像色にかかる画像メモリの格納領域、感光体および現像ユニットを用いて転写紙に画像形成することとしたので、仕切線を除くカラー画像データの画像形成に使用されない作像色にかかる画像メモリの格納領域、感光体および現像ユニットを、仕切線を描画するだけのために使用するという無駄を省くことができ、各種カラーコピーモードにおいて、イメージリピートコピーを行う場合に、生産性を低下させず、かつ、ユーザーの使い勝手が良いカラー画像形成装置を提供することが可能となるという効果を奏する。
【０１６１】
また、請求項９にかかる発明によれば、請求項８にかかる発明において、カラーモード選択手段でフルカラーモードが選択され、かつ、コピーモード選択手段でイメージリピートコピーモードが選択された際には、仕切線の色を、フルカラーコピーで使用する色成分（Ｙ、Ｍ、Ｃ、Ｋ）の組み合わせによって実現できる任意の色に指定可能としたので、請求項８にかかる発明の効果に加えて、フルカラーモードで使用する作像色（Ｙ、Ｍ、Ｃ、Ｋ）の組み合わせで実現できる任意の色で、画像間の仕切線を形成することができ、仕切線の色の選択の自由度を向上させることが可能となる。
【０１６２】
また、請求項１０にかかる発明によれば、請求項８にかかる発明において、カラーモード選択手段で原稿を指定された一色でコピーするシングルカラーコピーモードが選択され、かつ、コピーモード選択手段でイメージリピートコピーモードが選択された際には、仕切線の色を、指定されたシングルカラーと同じ色とすることとしたので、請求項８にかかる発明の効果に加えて、シングルカラーモードにおいて、不要な作像色の作像動作を行う必要を防止でき、プリンタエンジンの消耗等を防止することが可能となる。
【０１６３】
また、請求項１１にかかる発明によれば、請求項８にかかる発明において、カラーモード選択手段で、原稿の黒領域と、原稿の黒以外の領域の色を夫々指定し、指定された２色でコピーする２色カラーコピーモードが選択され、かつ、コピーモード選択手段でイメージリピートコピーモードが選択された際には、仕切線の色を、指定された２色のうちベースとなる１色と同じ色とすることとしたので、請求項８にかかる発明の効果に加えて、２色カラーコピーモードにおいて、不要な作像色の作像動作を防止でき、また、仕切線の複雑な色指定を回避することが可能となる。
【０１６４】
また、請求項１２にかかる発明によれば、請求項８〜請求項１１のいずれか１つにかかる発明において、仕切線描画有無指定手段は、仕切線の描画の有無を指定することとしたので、請求項８〜請求項１１のいずれか１つにかかる発明の効果に加えて、利用者が、イメージリピートコピーモードで仕切線を入れるか否かを決定することができ、より利用者の使い勝手が良くなる。
【０１６５】
また、請求項１３にかかる発明によれば、請求項８〜請求項１２のいずれか１つにかかる発明において、仕切線濃度指定手段は、仕切線の濃度を指定することとしたので、請求項８〜請求項１２のいずれか１つにかかる発明の効果に加えて、利用者が、イメージリピートコピーモードで仕切線の濃度を決定することができ、より利用者の使い勝手が良くなる。
【０１６６】
また、請求項１４にかかる発明によれば、請求項８〜請求項１３のいずれか１つにかかる発明において、仕切線線種指定手段は複数の線種から前記仕切線の線種を指定することとしたので、請求項８〜請求項１３のいずれか１つにかかる発明の効果に加えて、利用者が、イメージリピートコピーモードで仕切線の種類を決定することができ、より利用者の使い勝手が良くなる。
【０１６７】
また、請求項１５にかかる発明によれば、コピーモード選択工程で複数枚の原稿画像を転写紙１枚に印刷する集約コピーモードが選択された場合には、１枚の転写紙に転写される各原稿画像間を仕切るための仕切線を描画し、当該仕切線の色を、カラーモード選択工程で選択されたカラーモードで指定される色を表現する作像色にかかる色成分のみを使用して表現可能な色とし、仕切線を含むカラー画像データを、カラーモード選択工程で選択されたカラーモードで指定される色を表現する作像色にかかる画像メモリの格納領域、感光体および現像ユニットを用いて転写紙に画像形成することとしたので、仕切線を除くカラー画像データの画像形成に使用されない作像色にかかる画像メモリの格納領域、感光体および現像ユニットを、仕切線を描画するだけのために使用するという無駄を省くことができ、各種カラーコピーモードにおいて、集約コピーを行う場合に、生産性を低下させず、かつ、ユーザーの使い勝手が良いカラー画像形成方法を提供することが可能となるという効果を奏する。
【０１６８】
また、請求項１６にかかる発明によれば、請求項１５にかかる発明の効果に加えて、フルカラーモードおよび集約コピーモードが選択された際には、仕切線の色を、フルカラーコピーで使用する色成分（Ｙ、Ｍ、Ｃ、Ｋ）の組み合わせによって実現できる任意の色に指定可能とすることとしたので、請求項１５にかかる発明の効果に加えて、フルカラーモードで使用する作像色（Ｙ、Ｍ、Ｃ、Ｋ）の組み合わせで実現できる任意の色で、画像間の仕切線を形成することができ、仕切線の色の選択の自由度を向上させることが可能となる。
【０１６９】
また、請求項１７にかかる発明によれば、請求項１５にかかる発明において、原稿を指定された一色でコピーするシングルカラーコピーモードおよび集約コピーモードが選択された際には、仕切線の色を、選択されたシングルカラーと同じ色とすることとしたので、請求項１５にかかる発明の効果に加えて、シングルカラーモードにおいて、不要な作像色の作像動作を行う必要を防止でき、プリンタエンジンの消耗等を防止することが可能となる。
【０１７０】
また、請求項１８にかかる発明によれば、請求項１５にかかる発明において、原稿の黒領域と、原稿の黒以外の領域の色を夫々指定し、指定された２色でコピーする２色カラーコピーモードが選択され、かつ、コピーモード選択工程で集約コピーモードが選択された際には、仕切線の色を、指定された２色のうちベースとなる１色と同じ色とすることとしたので、請求項１５にかかる発明の効果に加えて、２色カラーコピーモードにおいて、不要な作像色の作像動作を防止でき、また、仕切線の複雑な色指定を回避することが可能となる。
【０１７１】
また、請求項１９にかかる発明によれば、請求項１５〜請求項１８のいずれか１つにかかる発明において、仕切線の描画の有無を指定可能とすることとしたので、請求項１５〜請求項１８のいずれか１つにかかる発明の効果に加えて、利用者が、集約コピーモードで仕切線を入れるか否かを決定することができ、より利用者の使い勝手が良くなる。
【０１７２】
また、請求項２０にかかる発明によれば、請求項１５〜請求項１９のいずれか１つにかかる発明において、仕切線の濃度を指定可能とすることとしたので、請求項１５〜請求項１９のいずれか１つにかかる発明の効果に加えて、利用者が、集約コピーモードで仕切線の濃度を決定することができ、より利用者の使い勝手が良くなる。
【０１７３】
また、請求項２１にかかる発明によれば、請求項１５〜請求項２０のいずれか１つにかかる発明において、複数の線種から仕切線の線種を指定可能としたので、請求項１５〜請求項２０のいずれか１つにかかる発明の効果に加えて、利用者が、集約コピーモードで仕切線を入れるか否かを決定することができ、より利用者の使い勝手が良くなる。
【０１７４】
また、請求項２２にかかる発明によれば、コピーモード選択工程で１枚の原稿画像を転写紙１枚に複数回繰り返して印刷するイメージリピートコピーモードが選択された場合には、１枚の転写紙に転写される各原稿画像間を仕切るための仕切線を描画し、当該仕切線の色を、カラーモード選択工程で選択されたカラーモードで指定される色を表現する作像色にかかる色成分のみを使用して表現可能な色とし、仕切線を含むカラー画像データを、カラーモード選択工程で選択されたカラーモードで指定される色を表現する作像色にかかる画像メモリの格納領域、感光体および現像ユニットを用いて転写紙に画像形成することとしたので、仕切線を除くカラー画像データの画像形成に使用されない作像色にかかる画像メモリの格納領域、感光体および現像ユニットを、仕切線を描画するだけのために使用するという無駄を省くことができ、各種カラーコピーモードにおいて、イメージリピートコピーを行う場合に、生産性を低下させず、かつ、ユーザーの使い勝手が良いカラー画像形成方法を提供することが可能となるという効果を奏する。
【０１７５】
また、請求項２３にかかる発明によれば、請求項２２にかかる発明において、フルカラーモードおよびイメージリピートコピーモードが選択された際には、仕切線の色を、フルカラーコピーで使用する色成分（Ｙ、Ｍ、Ｃ、Ｋ）の組み合わせによって実現できる任意の色に指定可能とすることとしたので、請求項２２にかかる発明の効果に加えて、フルカラーモードで使用する作像色（Ｙ、Ｍ、Ｃ、Ｋ）の組み合わせで実現できる任意の色で、画像間の仕切線を形成することができ、仕切線の色の選択の自由度を向上させることが可能となる。
【０１７６】
また、請求項２４にかかる発明によれば、請求項２２にかかる発明において、原稿を指定された一色でコピーするシングルカラーコピーモードおよびイメージリピートコピーモードが選択された際には、仕切線の色を、指定されたシングルカラーと同じ色とすることとしたので、請求項２２にかかる発明の効果に加えて、シングルカラーモードにおいて、不要な作像色の作像動作を行う必要を防止でき、プリンタエンジンの消耗等を防止することが可能となる。
【０１７７】
また、請求項２５にかかる発明によれば、請求項２２にかかる発明において、原稿の黒領域と、原稿の黒以外の領域の色を夫々指定し、指定された２色でコピーする２色カラーコピーモードおよびイメージリピートコピーモードが選択された際には、仕切線の色を指定された２色のうちベースとなる１色と同じ色とすることとしたので、請求項２２にかかる発明の効果に加えて、２色カラーコピーモードにおいて、不要な作像色の作像動作を防止でき、また、仕切線の複雑な色指定を回避することが可能となる。
【０１７８】
また、請求項２６にかかる発明によれば、請求項２２〜請求項２５のいずれか１つにかかる発明において、仕切線の描画の有無を指定可能としたので、請求項２２〜請求項２５のいずれか１つにかかる発明の効果に加えて、利用者が、イメージリピートコピーモードで仕切線を入れるか否かを決定することができ、より利用者の使い勝手が良くなる。
【０１７９】
また、請求項２７にかかる発明によれば、請求項２２〜請求項２６のいずれか１つにかかる発明において、仕切線の濃度を指定可能としたので、請求項２２〜請求項２６のいずれか１つにかかる発明の効果に加えて、利用者が、イメージリピートコピーモードで仕切線の濃度を決定することができ、より利用者の使い勝手が良くなる。
【０１８０】
また、請求項２８にかかる発明によれば、請求項２２〜請求項２７のいずれか１つにかかる発明において、複数の線種から仕切線の線種を指定可能としたので、請求項２２〜請求項２７のいずれか１つにかかる発明の効果に加えて、利用者が、イメージリピートコピーモードで仕切線の種類を決定することができ、より利用者の使い勝手が良くなる。
【０１８１】
また、請求項２９にかかる発明によれば、コンピュータで記録媒体に格納されたプログラムを実行することにより、コピーモード選択工程で複数枚の原稿画像を転写紙１枚に印刷する集約コピーモードが選択された場合には、１枚の転写紙に転写される各原稿画像間を仕切るための仕切線を描画し、当該仕切線の色を、カラーモード選択工程で選択されたカラーモードで指定される色を表現する作像色にかかる色成分のみを使用して表現可能な色とし、仕切線を含むカラー画像データを、カラーモード選択工程で選択されたカラーモードで指定される色を表現する作像色にかかる画像メモリの格納領域、感光体および現像ユニットを用いて転写紙に画像形成するカラー画像形成方法を実行することとしたので、仕切線を除くカラー画像データの画像形成に使用されない作像色にかかる画像メモリの格納領域、感光体および現像ユニットを、仕切線を描画するだけのために使用するという無駄を省くことができ、生産性を低下させずに、ユーザーの使い勝手が良い集約コピー機能を提供することが可能となるという効果を奏する。
【０１８２】
また、請求項３０にかかる発明によれば、コンピュータで記録媒体に格納されたプログラムを実行することにより、コピーモード選択工程で１枚の原稿画像を転写紙１枚に複数回繰り返して印刷するイメージリピートコピーモードが選択された場合には、１枚の転写紙に転写される各原稿画像間を仕切るための仕切線を描画し、当該仕切線の色を、カラーモード選択工程で選択されたカラーモードで指定される色を表現する作像色にかかる色成分のみを使用して表現可能な色とし、仕切線を含むカラー画像データを、カラーモード選択工程で選択されたカラーモードで指定される色を表現する作像色にかかる画像メモリの格納領域、感光体および現像ユニットを用いて転写紙に画像形成するカラー画像形成方法を実行することとしたので、仕切線を除くカラー画像データの画像形成に使用されない作像色にかかる画像メモリの格納領域、感光体および現像ユニットを、仕切線を描画するだけのために使用するという無駄を省くことができ、生産性を低下させずに、ユーザーの使い勝手が良いイメージリピートコピー機能を提供することが可能となる。
【図面の簡単な説明】
【図１】本発明にかかるフルカラーデジタル複写機の概略構成を示す図である。
【図２】色の三原色を説明するための図である。
【図３】本発明のデジタル複写機のハード構成の概略を示す図である。
【図４】スキャナユニットからコントローラの画像メモリへの画像転送イメージを示す図である。
【図５】シングルカラーコピーモードを説明するための図である。
【図６】２色カラーコピーモードを説明するための図である。
【図７】集約コピーの原理を説明するための図である。
【図８】フルカラーコピーモードで、集約コピーを行う場合の処理を説明するためのフローチャートである。
【図９】フルカラーコピーモードで集約コピーを行う場合を説明するための説明図である。
【図１０】仕切線色と仕切線を描画するフレームの関係を示す図である。
【図１１】シングルカラーコピーモードで、集約コピーを行う場合の処理を説明するためのフローチャートである。
【図１２】シングルカラーコピーモードで集約コピーを行う場合を説明するための説明図である。
【図１３】仕切線色と仕切線を描画するフレームの関係を示す図である。
【図１４】２色カラーコピーモードで、集約コピーを行う場合の処理を説明するためのフローチャートである。
【図１５】２色カラーコピーモードで集約コピーを行う場合を説明するための説明図である。
【図１６】仕切線色と仕切線を描画するフレームの関係を示す図である。
【図１７】イメージリピートコピーの原理を説明するための図である。
【図１８】変倍率応じたイメージリピート個数を説明するための図である。
【図１９】フルカラーコピーモードで、イメージリピートコピーを行う場合の処理を説明するためのフローチャートである。
【図２０】フルカラーコピーモードでイメージリピートコピーを行う場合を説明するための説明図である。
【図２１】仕切線色と仕切線を描画するフレームの関係を示す図である。
【図２２】シングルカラーコピーモードで、イメージリピートコピーを行う場合の処理を説明するためのフローチャートである。
【図２３】シングルカラーコピーモードでイメージリピートコピーを行う場合を説明するための説明図である。
【図２４】仕切線色と仕切線を描画するフレームの関係を示す図である。
【図２５】２色カラーコピーモードで、集約コピーを行う場合の処理を説明するためのフローチャートである。
【図２６】２色カラーコピーモードで集約コピーを行う場合を説明するための説明図である。
【図２７】仕切線色と仕切線を描画するフレームの関係を示す図である。
【符号の説明】
１  原稿自動送り装置（ＡＤＦ）
２  原稿読み取り装置
３  画像書き込みユニット
４  画像形成ユニット
５  １次転写ユニット
６  ２次転写ユニット
７  定着ユニット
２１  キャリッジ
２２  レンズ
２３  ＣＣＤ
２４  バッファ
３１  レーザービーム
４１  感光体
４３  カラー現像部
５１  中間転写ベルト
５２  一次転写部
５４、５５  ２次転写ローラ
５６  クリーニング部
１００  コントローラ
１０１  画像メモリ
１１１  ＩＰＵ
３０１  読み取り・スキャナ制御部
３０２  操作部
３０３  プリンタエンジン
【図１】
0004094807.tif 000002
【図２】
0004094807.tif 000003
【図３】
0004094807.tif 000004
【図４】
0004094807.tif 000005
【図５】
0004094807.tif 000006
【図６】
0004094807.tif 000007
【図７】
0004094807.tif 000008
【図８】
0004094807.tif 000009
【図９】
0004094807.tif 000010
【図１０】
0004094807.tif 000011
【図１１】
0004094807.tif 000012
【図１２】
0004094807.tif 000013
【図１３】
0004094807.tif 000014
【図１４】
0004094807.tif 000015
【図１５】
0004094807.tif 000016
【図１６】
0004094807.tif 000017
【図１７】
0004094807.tif 000018
【図１８】
0004094807.tif 000019
【図１９】
0004094807.tif 000020
【図２０】
0004094807.tif 000021
【図２１】
0004094807.tif 000022
【図２２】
0004094807.tif 000023
【図２３】
0004094807.tif 000024
【図２４】
0004094807.tif 000025
【図２５】
0004094807.tif 000026
【図２６】
0004094807.tif 000027
【図２７】
0004094807.tif 000028